(57)【特許請求の範囲】
【請求項１】
基材層と、
最初は保磁力が低く設定されており、一度磁界に暴露すると著しく保磁力が高くなる特性を示す強磁性体を含有する磁性層とが積層されており、
前記磁性層に磁界を印加することで改竄することが極めて困難な所定の磁気情報が記録されていることを特徴とする安全線条。
【請求項２】
基材層と、
最初は保磁力が低く設定されており、一度磁界に暴露すると著しく保磁力が高くなる特性を示す強磁性体を含有する磁性層と、
所定の波長の光線を反射する反射層と、
前記所定の波長の光線を照射すると発光して所定の光学的特性を示す機能性材料を付与することで所定の光学情報が記録されている光学的機能層とが、
前記基材層、前記磁性層、前記反射層、前記光学的機能層の順番で積層されており、
前記磁性層に磁界を印加することで改竄することが極めて困難な所定の磁気情報が記録されていることを特徴とする安全線条。
【請求項３】
透明な基材層と、
所定の波長の光線を照射すると発光して所定の光学的特性を示す機能性材料を付与することで所定の光学情報が記録されている光学的機能層と、
前記所定の波長の光線を反射する反射層と、
最初は保磁力が低く設定されており、一度磁界に暴露すると著しく保磁力が高くなる特性を示す強磁性体を含有する磁性層とが、
前記透明な基材層、前記光学的機能層、前記反射層、前記磁性層の順番で積層されており、
前記磁性層に磁界を印加することで改竄することが極めて困難な所定の磁気情報が記録されていることを特徴とする安全線条。
【請求項４】
所定の波長の光線を照射すると発光して所定の光学的特性を示す機能性材料を付与することで所定の光学情報が記録されている光学的機能層と、
前記所定の波長の光線を反射する反射層と、
基材層と、
最初は保磁力が低く設定されており、一度磁界に暴露すると著しく保磁力が高くなる特性を示す強磁性体を含有する磁性層とが、
前記光学的機能層、前記反射層、前記基材層、前記磁性層の順番で積層されており、
前記磁性層に磁界を印加することで改竄することが極めて困難な所定の磁気情報が記録されていることを特徴とする安全線条。
【請求項５】
所定の波長の光線を照射すると発光して所定の光学的特性を示す機能性材料を付与することで所定の光学情報が記録されている光学的機能層と、
透明な基材層と、
前記所定の波長の光線を反射する反射層と、
最初は保磁力が低く設定されており、一度磁界に暴露すると著しく保磁力が高くなる特性を示す強磁性体を含有する磁性層とが、
前記光学的機能層、前記透明な基材層、前記反射層、前記磁性層の順番で積層されており、
前記磁性層に磁界を印加することで改竄することが極めて困難な所定の磁気情報が記録されていることを特徴とする安全線条。
【請求項６】
前記安全線条において、
前記反射層が前記所定の波長の光線を反射する材料を蒸着又は塗布して形成されていることを特徴とする請求項２乃至５のいずれかに記載の安全線条。
【請求項７】
所定の波長の光線を照射すると発光して所定の光学的特性を示す機能性材料を付与することで所定の光学情報が記録されている光学的機能層と、
前記所定の波長の光線を反射する基材層である反射層と、
最初は保磁力が低く設定されており、一度磁界に暴露すると著しく保磁力が高くなる特性を示す強磁性体を含有する磁性層とが、
前記光学的機能層、前記所定の波長の光線を反射する基材層である反射層、前記磁性層の順番で積層されており、
前記磁性層に磁界を印加することで改竄することが極めて困難な所定の磁気情報が記録されていることを特徴とする安全線条。
【請求項８】
前記安全線条において、
前記所定の光学情報が前記所定の磁気情報と所定の相関関係を持つように記録されていることを特徴とする請求項２乃至７のいずれかに記載の安全線条。
【請求項９】
第一の波長の光線を照射すると発光して第一の光学的特性を示す第一の機能性材料を付与することで第一の光学情報が記録されている第一の光学的機能層と、
前記第一の波長の光線を反射する第一の反射層と、
基材層と、
最初は保磁力が低く設定されており、一度磁界に暴露すると著しく保磁力が高くなる特性を示す強磁性体を含有する磁性層と、
第二の波長の光線を反射する第二の反射層と、
前記第二の波長の光線を照射すると発光して第二の光学的特性を示す第二の機能性材料を付与することで第二の光学情報が記録されている第二の光学的機能層とが、
前記第一の光学的機能層、前記第一の反射層、前記基材層、前記磁性層、前記第二の反射層、前記第二の光学的機能層の順番で積層されており、
前記磁性層に磁界を印加することで改竄することが極めて困難な所定の磁気情報が記録されていることを特徴とする安全線条。
【請求項１０】
第一の波長の光線を照射すると発光して第一の光学的特性を示す第一の機能性材料を付与することで第一の光学情報が記録されている第一の光学的機能層と、
透明な基材層と、
前記第一の波長の光線を反射する第一の反射層と、
最初は保磁力が低く設定されており、一度磁界に暴露すると著しく保磁力が高くなる特性を示す強磁性体を含有する磁性層と、
第二の波長の光線を反射する第二の反射層と、
前記第二の波長の光線を照射すると発光して第二の光学的特性を示す第二の機能性材料を付与することで第二の光学情報が記録されている第二の光学的機能層とが、
前記第一の光学的機能層、前記透明な基材層、前記第一の反射層、前記磁性層、前記第二の反射層、前記第二の光学的機能層の順番で積層されており、
前記磁性層に磁界を印加することで改竄することが極めて困難な所定の磁気情報が記録されていることを特徴とする安全線条。
【請求項１１】
透明な基材層と、
第一の波長の光線を照射すると発光して第一の光学的特性を示す第一の機能性材料を付与することで第一の光学情報が記録されている第一の光学的機能層と、
前記第一の波長の光線を反射する第一の反射層と、
最初は保磁力が低く設定されており、一度磁界に暴露すると著しく保磁力が高くなる特性を示す強磁性体を含有する磁性層と、
第二の波長の光線を反射する第二の反射層と、
前記第二の波長の光線を照射すると発光して第二の光学的特性を示す第二の機能性材料を付与することで第二の光学情報が記録されている第二の光学的機能層とが、
前記透明な基材層、前記第一の光学的機能層、前記第一の反射層、前記磁性層、前記第二の反射層、前記第二の光学的機能層の順番で積層されており、
前記磁性層に磁界を印加することで改竄することが極めて困難な所定の磁気情報が記録されていることを特徴とする安全線条。
【請求項１２】
前記安全線条において、
前記第一の反射層が前記第一の波長の光線を反射する材料を蒸着又は塗布して形成されていることを特徴とする請求項９乃至１１のいずれかに記載の安全線条。
【請求項１３】
第一の波長の光線を照射すると発光して第一の光学的特性を示す第一の機能性材料を付与することで第一の光学情報が記録されている第一の光学的機能層と、
前記第一の波長の光線を反射する基材層である第一の反射層と、
最初は保磁力が低く設定されており、一度磁界に暴露すると著しく保磁力が高くなる特性を示す強磁性体を含有する磁性層と、
第二の波長の光線を反射する第二の反射層と、
前記第二の波長の光線を照射すると発光して第二の光学的特性を示す第二の機能性材料を付与することで第二の光学情報が記録されている第二の光学的機能層とが、
前記第一の光学的機能層、前記第一の波長の光線を反射する基材層である第一の反射層、前記磁性層、前記第二の反射層、前記第二の光学的機能層の順番で積層されており、
前記磁性層に磁界を印加することで改竄することが極めて困難な所定の磁気情報が記録されていることを特徴とする安全線条。
【請求項１４】
前記安全線条において、
前記第二の反射層が前記第二の波長の光線を反射する材料を蒸着又は塗布して形成されていることを特徴とする請求項９乃至１３のいずれかに記載の安全線条。
【請求項１５】
前記安全線条において、
前記第一の光学情報が前記所定の磁気情報と所定の相関関係を持つように記録されていることを特徴とする請求項９乃至１４のいずれかに記載の安全線条。
【請求項１６】
前記安全線条において、
前記第二の光学情報が前記所定の磁気情報と所定の相関関係を持つように記録されていることを特徴とする請求項９乃至１５のいずれかに記載の安全線条。
【請求項１７】
請求項１記載の安全線条が紙層中に埋設された偽造防止用紙であって、
前記偽造防止用紙の紙層中に埋設された前記安全線条を構成する各層が前記偽造防止用紙の厚さ方向に向けて積層されており、
前記偽造防止用紙の紙層中に埋設された前記安全線条に前記所定の磁気情報が記録されており、
前記所定の磁気情報が前記偽造防止用紙の表面から磁気的に読み取ることのできる磁気情報であることを特徴とする偽造防止用紙。
【請求項１８】
請求項２乃至８のいずれかに記載の安全線条が紙層中に埋設された偽造防止用紙であって、
前記偽造防止用紙の紙層中に埋設された前記安全線条を構成する各層が前記偽造防止用紙の厚さ方向に向けて積層されており、
前記偽造防止用紙の紙層中に埋設された前記安全線条に前記所定の磁気情報及び前記所定の光学情報が記録されており、
前記所定の磁気情報が前記偽造防止用紙の表面から磁気的に読み取ることのできる磁気情報であり、
前記所定の光学情報が前記偽造防止用紙の表面から光学的に読み取ることのできる光学情報であることを特徴とする偽造防止用紙。
【請求項１９】
請求項９乃至１６のいずれかに記載の安全線条が紙層中に埋設された偽造防止用紙であって、
前記偽造防止用紙の紙層中に埋設された前記安全線条を構成する各層が前記偽造防止用紙の厚さ方向に向けて積層されており、
前記偽造防止用紙の紙層中に埋設された前記安全線条に前記所定の磁気情報、前記第一の光学情報及び前記第二の光学情報が記録されており、
前記所定の磁気情報が前記偽造防止用紙の表面から磁気的に読み取ることのできる磁気情報であり、
前記第一の光学情報が前記偽造防止用紙の表面から光学的に読み取ることのできる光学情報であり、
前記第二の光学情報が前記偽造防止用紙の表面から光学的に読み取ることのできる光学情報であることを特徴とする偽造防止用紙。
【請求項２０】
請求項１７乃至１９のいずれかに記載の偽造防止用紙を基材として使用したことを特徴とする紙幣、有価証券、金銭的価値を有する証紙類及び権利、資格、ＩＤ情報を証明する書類を含む貴重印刷物。
【請求項２１】
請求項１７記載の偽造防止用紙の真偽判別装置であって、
前記偽造防止用紙の紙層中に埋設されている前記安全線条に対して、前記磁性層に磁気情報を記録した後に前記強磁性体が示す保磁力よりも小さい磁界を印加して前記磁性層を消磁する消磁ヘッドと、前記磁性層を消磁した後に前記磁性層に残留している磁気情報を磁気的に読み取る磁気ヘッドとを用いて前記安全線条の磁気情報を測定する磁性測定部と、
前記磁性測定部で基準となる真正な偽造防止用紙に対応する前記所定の磁気情報と一致する磁気情報が測定された時に、前記偽造防止用紙を真正と判定する真偽判別部とを備えたことを特徴とする偽造防止用紙の真偽判別装置。
【請求項２２】
請求項１８記載の偽造防止用紙の真偽判別装置であって、
前記偽造防止用紙の紙層中に埋設されている前記安全線条に対して、前記磁性層に磁気情報を記録した後に前記強磁性体が示す保磁力よりも小さい磁界を印加して前記磁性層を消磁する消磁ヘッドと、前記磁性層を消磁した後に前記磁性層に残留している磁気情報を磁気的に読み取る磁気ヘッドとを用いて前記安全線条の磁気情報を測定する磁性測定部と、
前記偽造防止用紙の紙層中に埋設されている前記安全線条に対して、前記所定の波長の光線を照射する光源と、前記所定の波長の光線を照射した際に得られる光学情報を光学的に読み取るフォトセンサとを用いて前記安全線条の光学情報を抽出する光学的特性抽出部と、
前記磁性測定部で基準となる真正な偽造防止用紙に対応する前記所定の磁気情報と一致する磁気情報が測定され、且つ、前記光学的特性抽出部で基準となる真正な偽造防止用紙に対応する前記所定の光学情報と一致する光学情報が前記偽造防止用紙のいずれか一方の表面から抽出された時に、前記偽造防止用紙を真正と判定する真偽判別部とを備えたことを特徴とする偽造防止用紙の真偽判別装置。
【請求項２３】
請求項１９記載の偽造防止用紙の真偽判別装置であって、前記偽造防止用紙の紙層中に埋設されている前記安全線条に対して、前記磁性層に磁気情報を記録した後に前記強磁性体が示す保磁力よりも小さい磁界を印加して前記磁性層を消磁する消磁ヘッドと、前記磁性層を消磁した後に前記磁性層に残留している磁気情報を磁気的に読み取る磁気ヘッドとを用いて前記安全線条の磁気情報を測定する磁性測定部と、
前記偽造防止用紙の紙層中に埋設されている前記安全線条に対して、前記第一の波長の光線を照射する第一の光源と、前記第一の波長の光線を照射した際に得られる光学情報を光学的に読み取る第一のフォトセンサとを用いて前記安全線条の光学情報を抽出する第一の光学的特性抽出部と、
前記偽造防止用紙の紙層中に埋設されている前記安全線条に対して、前記第二の波長の光線を照射する第二の光源と、前記第二の波長の光線を照射した際に得られる光学情報を光学的に読み取る第二のフォトセンサとを用いて前記安全線条の光学情報を抽出する第二の光学的特性抽出部と、
前記磁性測定部で基準となる真正な偽造防止用紙に対応する前記所定の磁気情報と一致する磁気情報が測定されるとともに、前記第一の光学的特性抽出部で基準となる真正な偽造防止用紙に対応する前記第一の光学情報と一致する光学情報が前記偽造防止用紙のいずれか一方の表面から抽出され、且つ、前記第二の光学的特性抽出部で基準となる真正な偽造防止用紙に対応する前記第二の光学情報と一致する光学情報が前記偽造防止用紙の他方の表面から抽出された時に、前記偽造防止用紙を真正と判定する真偽判別部とを備えたことを特徴とする偽造防止用紙の真偽判別装置。
【請求項２４】
請求項２１乃至２３のいずれかに記載の偽造防止用紙の真偽判別装置において、
前記偽造防止用紙を基材として使用した紙幣、有価証券、金銭的価値を有する証紙類及び権利、資格、ＩＤ情報を証明する書類を含む貴重印刷物を真偽判別の対象とすることを特徴とする貴重印刷物の真偽判別装置。
【発明の詳細な説明】
【０００１】
【発明の属する技術分野】
本発明は、用紙の紙層中に埋設される安全線条であって、最初は保磁力が低く設定されており、一度磁界に暴露すると著しく保磁力が高くなる特性を示す強磁性体を含有する磁性層が設けられている安全線条に関する。
また、本発明は、用紙の紙層中に埋設される安全線条であって、最初は保磁力が低く設定されており、一度磁界に暴露すると著しく保磁力が高くなる特性を示す強磁性体を含有する磁性層と、所定の波長の光線を照射すると発光して所定の光学的特性を示す機能性材料を付与した光学的機能層とが設けられている安全線条に関する。
また、本発明は、このような安全線条が紙層中に埋設された偽造防止用紙に関するとともに、このような偽造防止用紙を基材として使用した紙幣、有価証券、金銭的価値を有する証紙類及び権利、資格、ＩＤ情報を証明する書類を含む貴重印刷物に関する。
また、本発明は、このような偽造防止用紙や貴重印刷物を真偽判別するための真偽判別装置に関する。
【０００２】
【従来の技術】
紙幣、有価証券、金銭的価値を有する証紙類及び権利、資格、ＩＤ情報を証明する書類を含む貴重印刷物を製造する際は、貴重印刷物の偽造を防止することを目的として、安全線条を紙層中に埋設した偽造防止用紙が基材として使用されてきた。
このような偽造防止用紙として、例えば特開昭61−152494号公報は、磁性材料と蛍光材料の双方の材料を含む安全線条が紙層中に埋設された偽造防止用紙であって、磁性材料を含む合成樹脂層と蛍光材料を含む合成樹脂層とをプラスチック処理における共有押出し成形技術を用いて積層した安全線条が紙層中に埋設された偽造防止用紙を開示していた。
このような偽造防止用紙を基材として使用した貴重印刷物では、安全線条に対して紫外線や赤外線などの所定の波長の光線を照射した際の吸収率や励起発光波長を検出したり、安全線条に対して電磁波を照射した際の吸収率や誘導電圧を検出するなどして真偽判別が行われることが多かった。
【０００３】
また、安全線条が紙層中に埋設された外国紙幣では、紙幣を真偽判別する際に紙幣の券種を識別することを目的として、紙幣の券種ごとに安全線条において磁性材料が付与されている部分を変化させていた。
この場合、安全線条に記録された磁気情報の存在を通常の状態で見掛け上、視認不可能とするために、紙幣の表裏双方の表面に白色インキ等を印刷することによって、安全線条に付与された有色の磁性材料の存在を紙幣の表裏双方の表面から隠蔽することが行われていた。
更に、透明フィルムに墨インキで文字等の図柄を印刷した安全線条を基紙中に漉き込んだ偽造防止用紙では、普通に観察しても図柄が見えてしまうため、単に用紙に灰色インキで文字等の図柄を印刷しても容易に同様の体裁のものが得られてしまうという欠点があった。そこで、特開平12−96491号公報は、透明支持体フィルム上に隠蔽性の高い白インキで図柄が印刷されている安全線条をパルプ基紙中に漉き込んだ偽造防止用紙を開示していた。
この偽造防止用紙では、正面から観察しただけでは何処に安全線条が漉き込まれているのかを判別することが困難であり、透過光のもとで観察した時にのみ安全線条に印刷された文字等の図柄が認識できるので、単に用紙に灰色インキ等で文字等の図柄を印刷しただけで偽造することが困難であった。
【０００４】
また、特開平7−32778号公報、特開平7−266769号公報及び特開平8−127997号公報は、強磁性アモルファス材料から構成される磁性層を設けた安全線条が紙層中に埋設された安全保護紙を開示していた。ここでは、磁性層に対してレーザ光照射、マイクロ波照射、加熱、加圧、切断、切り込みなどの加工を施して磁性層を構成する強磁性アモルファス材料の透磁率、飽和磁化特性、磁歪特性等を部分的に変化させることで固定又は半固定状態の磁気情報が磁性層に記録されていた。この場合、励磁コイルを用いて磁性層を構成する強磁性アモルファス材料を磁気的に励磁させた後に、磁性層に記録されている固定又は半固定状態の磁気情報を通常の磁気ヘッドを用いて読み取って安全保護紙の真偽を判定していた。
なお、特開平7−279098号公報は、同種の安全保護紙において、励磁コイルを用いて励磁させた磁気情報を磁気ヘッドを用いて読み取った後に、磁気的に励磁された状態の磁気情報を機密保持のために消磁ヘッドを用いて再度、消磁する安全保護紙の真偽判定装置を開示していた。
【０００５】
また、特開平8−138921号公報、特開平9−102117号公報及び特開平10−269556号公報は、一度磁界に暴露して磁気情報を記録すると著しく保磁力が高くなる特性を示すMnBiを主体とする磁性粉末を開示していた。
同時に、これらの公報は、MnBiを主体とする磁性粉末から構成された磁性層と、酸化物磁性粉末、金属磁性粉末、合金磁性粉末及び化合物磁性粉末の中から選ばれた少なくとも一種の磁性粉末から構成された磁性層とを積層した磁性層を設けた磁気記録媒体、或いは、MnBiを主体とする磁性粉末と、酸化物磁性粉末、金属磁性粉末、合金磁性粉末及び化合物磁性粉末の中から選ばれた少なくとも一種の磁性粉末とを共に含有する磁性層を設けた磁気記録媒体を開示していた。
更に、これらの公報は、これらの磁気記録媒体に関する磁気情報の記録再生方法と記録再生装置であって、一度記録すると書き換えることが極めて困難となる磁気情報を通常の磁気ヘッドを用いて記録、再生することができる記録再生方法と記録再生装置を開示していた。
【０００６】
また、特開平12−82208号公報は、常温における保磁力が10KOe以上であり、常温において脱磁状態からの初期磁化曲線が保磁力の半分以下の磁界にて飽和する磁性材料を用いて記録層が形成されているとともに、この記録層の上に保磁力が30Oe以下の高透磁率の磁性材料を用いて磁性層が形成されており、記録層に書き込まれる磁化パターンを磁気ヘッドを用いて追記していくことができるが、一度磁界に暴露して記録された磁気情報を磁気ヘッドを用いて書き換えることが不可能となる磁気バーコードとその記録方法を開示していた。
ここでは、記録層を形成する際に利用できる磁性材料として、脱磁状態にある場合、磁気ヘッドを用いて書き込み可能な5KOe以下の磁界にて飽和する特性を備えているとともに、通常のパーマロイやセンダスト製の磁気ヘッドにて書き込み可能であるが、一旦磁化されると保磁力は10KOe以上となり、その後は磁気ヘッドにて外部から磁界を与えても着磁方向を変化させることができない特性を備えているMnBiのような金属間化合物磁性体が例示されていた。
【０００７】
【発明が解決しようとする課題】
ところが、磁性材料を含む安全線条を紙層中に埋設した従来から広く知られている偽造防止用紙では、磁性材料として一般的な磁気特性を持った磁性材料を用いて安全線条が構成されていたために、偽造防止用紙が流通する過程で安全線条に含まれる磁性材料の保磁力よりも大きな磁界が安全線条に印加されることがあると、磁性材料の磁気特性によって安全線条に記録された磁気情報が容易に改竄されてしまうので、安全線条に記録された磁気情報に基づいて偽造防止用紙の正確な真偽判別を恒久的に行うことが困難であった。
【０００８】
また、特開昭61−152494号公報に開示される共有押出し成形技術によって製造された安全線条を紙層中に埋設した偽造防止用紙では、安全線条が磁性材料と蛍光材料の双方の材料を合成樹脂と混ぜ合わせて構成されていたために、偽造防止用紙の表面から磁性材料と蛍光材料の双方の材料の機能を十分に抽出することができなかった。
この時、蛍光材料については、偽造防止用紙において安全線条の一部を表面に露出させるための窓部を設けた構成とすれば、偽造防止用紙の表面から窓部に相当する箇所で蛍光発光を容易に確認することができたが、蛍光材料を含む安全線条が紙層中に埋設されている箇所では偽造防止用紙の表面から十分な蛍光発光を確認することができなかった。
更に、一般的な磁気特性を持った磁性材料では、磁気異方性と呼ばれる磁性材料の結晶の配向状態を所定の方向に揃えることができれば磁気強度を高く設定することが可能であったが、特開昭61−152494号公報に開示されるように共有押出し成形技術によって安全線条を製造する際には、磁性材料を合成樹脂と混ぜ合わせて安全線条を構成していたために、磁性材料の結晶の方向を揃えた上で、偽造防止用紙の表面から十分な磁気強度を安定して得ることができなかった。
【０００９】
また、紙層中に埋設された安全線条において磁性材料が付与されている位置を変化させて磁気情報を記録していた外国紙幣では、紙幣に記録された磁気情報の機密性を向上させるために、安全線条において有色の磁性材料が付与されている位置を通常の状態で把握できないようにするための各種の工夫が必要とされており、紙幣を製造する際に多くの時間、手間、コストが必要とされてきた。
更に、特開平12−96491号公報に開示される偽造防止用紙は、用紙の紙層中に埋設される安全線条に通常の状態で有色の磁性材料を用いて視認不可能な磁気情報を記録する場合に適用できるものではなかった。
【００１０】
また、特開平7−32778号公報、特開平7−266769号公報及び特開平8−127997号公報に開示されるように、強磁性アモルファス材料から構成される磁性層を設けた安全線条が紙層中に埋設された安全保護紙では、安全線条に固定又は半固定状態の磁気情報を記録する際に、磁性層に対してレーザ光照射、マイクロ波照射、加熱、加圧、切断、切り込み等の加工を施して磁性層を構成する強磁性アモルファス材料の透磁率、飽和磁化特性、磁歪特性等を部分的に変化させなければならず、一般的な磁気ヘッドを用いて容易に磁気情報を記録できる場合と比較して特殊で複雑な記録方法が必要とされていた。
更に、これらの安全保護紙では、安全線条に記録された磁気情報を一般的な磁気ヘッドを用いて読み取る際に、安全線条に対して外部から静磁界又は交流磁界による励磁を行って磁気情報が記録されている部分の磁界変化を生じさせた後に、磁気的に励起された情報を読み取らなくてはならず、一般的な磁気ヘッドを用いて容易に磁気情報を読み取ることができる場合と比較して特殊で複雑な読み取り方法が必要とされていた。
【００１１】
また、特開平12−82208号公報に開示されるように、記録層に書き込まれる磁気パターンを追記して情報を増加させていくことは可能であるが、一度磁界に暴露して記録された磁気情報を磁気ヘッドを用いて書き換えることが不可能となる磁気バーコードは、クレジットカード、プリペイドカード、定期券等を構成する基材の表面に印刷、転写、蒸着などの手段を用いて設けられるものであるから、通常の状態で磁気バーコードの存在を目視できない状態とするために隠蔽層を設けたり、流通する際の摩擦、摩耗、引っ掻きなどに対する抵抗力を持たせるために保護層を設けたりしなければならなかった。このため、磁気バーコードを設けたクレジットカード、プリペイドカード、定期券等を実際に使用するに適した態様で製造する際に多くの時間、手間、コストが必要とされてきた。
【００１２】
そこで、本発明は、上記した従来の技術における問題点を解決することを課題とするものである。
すなわち、本発明の課題は、通常の状態で磁気情報の存在が視認不可能であるとともに、改竄することが極めて困難な磁気情報を一般的な磁気ヘッドにより記録、再生することができる安全線条を提供することである。
【００１３】
また、本発明の課題は、安全線条に含まれる磁性材料の磁気特性を十分に抽出することができるとともに、安全線条に含まれる機能性材料の光学的特性を十分に抽出することができる安全線条を提供することである。
【００１４】
また、本発明の課題は、安全線条に含まれる機能性材料の光学的特性を十分に抽出するために設けられる反射層を簡単な方法により積層することができる安全線条を提供することである。
【００１５】
また、本発明の課題は、磁性層に記録された磁気情報が所定の磁気情報と一致し、且つ、光学的機能層に記録された光学情報が所定の光学情報と一致している場合に、磁性層に記録された磁気情報と光学的機能層に記録された光学情報との間に所定の相関関係の存在を確認することができれば、所定の磁気情報と所定の光学情報のそれぞれの情報が正確に記録されていることに関する信頼性を一段と向上させることができる安全線条を提供することである。
【００１６】
また、本発明の課題は、偽造防止用紙の表面から磁気的に読み取ることができる磁気情報であって、改竄することが極めて困難な磁気情報に基づいて正確な真偽判別を恒久的に行うことができる偽造防止用紙を提供することである。
【００１７】
また、本発明の課題は、偽造防止用紙の表面から磁気的に読み取ることができる磁気情報であって、改竄することが極めて困難な磁気情報と、用紙の表面から光学的に読み取ることができる光学情報とに基づいて正確な真偽判別を恒久的に行うことができる偽造防止用紙を提供することである。
【００１８】
また、本発明の課題は、改竄することが極めて困難な磁気情報を紙層中に記録することができる偽造防止用紙を提供することである。
【００１９】
また、本発明の課題は、貴重印刷物の表面から磁気的に読み取ることができる磁気情報であって、改竄することが極めて困難な磁気情報に基づいて正確な真偽判別を恒久的に行うことができる貴重印刷物を提供することである。
【００２０】
また、本発明の課題は、貴重印刷物の表面から磁気的に読み取ることができる磁気情報であって、改竄することが極めて困難な磁気情報と、印刷物の表面から光学的に読み取ることができる光学情報とに基づいて正確な真偽判別を恒久的に行うことができる貴重印刷物を提供することである。
【００２１】
また、本発明の課題は、改竄することが極めて困難な磁気情報を紙層中に記録することができる貴重印刷物を提供することである。
【００２２】
また、本発明の課題は、偽造防止用紙の安全線条を消磁した後に、安全線条に残留している磁気情報として磁気ヘッドを用いて磁気的に読み取られた磁気情報が、真正な偽造防止用紙の安全線条に極めて高い保磁力を持つように記録されている磁気情報と一致するか否かを判断して偽造防止用紙の正確な真偽判別を行うことができる偽造防止用紙の真偽判別装置を提供することである。
【００２３】
また、本発明の課題は、偽造防止用紙の安全線条を消磁した後に、安全線条に残留している磁気情報として磁気ヘッドを用いて磁気的に読み取られた磁気情報が、真正な偽造防止用紙の安全線条に極めて高い保磁力を持つように記録されている磁気情報と一致し、且つ、偽造防止用紙の安全線条からフォトセンサを用いて光学的に読み取られた光学情報が、真正な偽造防止用紙の安全線条に記録されている光学情報と一致するか否かを判断して偽造防止用紙の正確な真偽判別を行うことができる偽造防止用紙の真偽判別装置を提供することである。
【００２４】
また、本発明の課題は、貴重印刷物の安全線条を消磁した後に、安全線条に残留している磁気情報として磁気ヘッドを用いて磁気的に読み取られた磁気情報が、真正な貴重印刷物の安全線条に極めて高い保磁力を持つように記録されている磁気情報と一致するか否かを判断して貴重印刷物の正確な真偽判別を行うことができる貴重印刷物の真偽判別装置を提供することである。
【００２５】
また、本発明の課題は、貴重印刷物の安全線条を消磁した後に、安全線条に残留している磁気情報として磁気ヘッドを用いて磁気的に読み取られた磁気情報が、真正な貴重印刷物の安全線条に極めて高い保磁力を持つように記録されている磁気情報と一致し、且つ、貴重印刷物の安全線条からフォトセンサを用いて光学的に読み取られた光学情報が、真正な貴重印刷物の安全線条に記録されている光学情報と一致するか否かを判断して貴重印刷物の正確な真偽判別を行うことができる貴重印刷物の真偽判別装置を提供することである。
【００２６】
【課題を解決するための手段】
本発明は、基材層と、最初は保磁力が低く設定されており、一度磁界に暴露すると著しく保磁力が高くなる特性を示す強磁性体を含有する磁性層とが積層されており、前記磁性層に磁界を印加することで改竄することが極めて困難な所定の磁気情報が記録されていることを特徴とする安全線条である。
この安全線条では、一度磁界に暴露すると著しく保磁力が高くなる特性を示す強磁性体を含有する磁性層の一部に磁界を印加することで磁気情報を記録することができるので、通常の状態で磁気情報の存在が視認不可能であるとともに、改竄することが極めて困難な磁気情報を一般的な磁気ヘッドにより記録、再生することができる。
更に、この安全線条では、飽和磁化の劣化が極めて少ない強磁性体を含有する磁性層を積層して安全線条を構成することができるので、安全線条に含まれる磁性材料の磁気特性を十分に抽出することができる。
【００２７】
また、本発明は、基材層と、最初は保磁力が低く設定されており、一度磁界に暴露すると著しく保磁力が高くなる特性を示す強磁性体を含有する磁性層と、所定の波長の光線を反射する反射層と、前記所定の波長の光線を照射すると発光して所定の光学的特性を示す機能性材料を付与することで所定の光学情報が記録されている光学的機能層とが、前記基材層、前記磁性層、前記反射層、前記光学的機能層の順番で積層されており、前記磁性層に磁界を印加することで改竄することが極めて困難な所定の磁気情報が記録されていることを特徴とする安全線条である。
この安全線条では、一度磁界に暴露すると著しく保磁力が高くなる特性を示す強磁性体を含有する磁性層の一部に磁界を印加することで磁気情報を記録することができるので、通常の状態で磁気情報の存在が視認不可能であるとともに、改竄することが極めて困難な磁気情報を一般的な磁気ヘッドにより記録、再生することができる。
更に、この安全線条では、飽和磁化の劣化が極めて少ない強磁性体を含有する磁性層を積層して安全線条を構成することができるので、安全線条に含まれる磁性材料の磁気特性を十分に抽出することができるとともに、機能性材料を発光させる所定の波長の光線を反射する反射層を積層して安全線条を構成することができるので、安全線条に含まれる機能性材料の光学的特性を十分に抽出することができる。
【００２８】
また、本発明は、透明な基材層と、所定の波長の光線を照射すると発光して所定の光学的特性を示す機能性材料を付与することで所定の光学情報が記録されている光学的機能層と、前記所定の波長の光線を反射する反射層と、最初は保磁力が低く設定されており、一度磁界に暴露すると著しく保磁力が高くなる特性を示す強磁性体を含有する磁性層とが、前記透明な基材層、前記光学的機能層、前記反射層、前記磁性層の順番で積層されており、前記磁性層に磁界を印加することで改竄することが極めて困難な所定の磁気情報が記録されていることを特徴とする安全線条である。
この安全線条では、一度磁界に暴露すると著しく保磁力が高くなる特性を示す強磁性体を含有する磁性層の一部に磁界を印加することで磁気情報を記録することができるので、通常の状態で磁気情報の存在が視認不可能であるとともに、改竄することが極めて困難な磁気情報を一般的な磁気ヘッドにより記録、再生することができる。
更に、この安全線条では、飽和磁化の劣化が極めて少ない強磁性体を含有する磁性層を積層して安全線条を構成することができるので、安全線条に含まれる磁性材料の磁気特性を十分に抽出することができるとともに、機能性材料を発光させる所定の波長の光線を反射する反射層を積層して安全線条を構成することができるので、安全線条に含まれる機能性材料の光学的特性を十分に抽出することができる。
【００２９】
また、本発明は、所定の波長の光線を照射すると発光して所定の光学的特性を示す機能性材料を付与することで所定の光学情報が記録されている光学的機能層と、前記所定の波長の光線を反射する反射層と、基材層と、最初は保磁力が低く設定されており、一度磁界に暴露すると著しく保磁力が高くなる特性を示す強磁性体を含有する磁性層とが、前記光学的機能層、前記反射層、前記基材層、前記磁性層の順番で積層されており、前記磁性層に磁界を印加することで改竄することが極めて困難な所定の磁気情報が記録されていることを特徴とする安全線条である。
この安全線条では、一度磁界に暴露すると著しく保磁力が高くなる特性を示す強磁性体を含有する磁性層の一部に磁界を印加することで磁気情報を記録することができるので、通常の状態で磁気情報の存在が視認不可能であるとともに、改竄することが極めて困難な磁気情報を一般的な磁気ヘッドにより記録、再生することができる。
更に、この安全線条では、飽和磁化の劣化が極めて少ない強磁性体を含有する磁性層を積層して安全線条を構成することができるので、安全線条に含まれる磁性材料の磁気特性を十分に抽出することができるとともに、機能性材料を発光させる所定の波長の光線を反射する反射層を積層して安全線条を構成することができるので、安全線条に含まれる機能性材料の光学的特性を十分に抽出することができる。
【００３０】
また、本発明は、所定の波長の光線を照射すると発光して所定の光学的特性を示す機能性材料を付与することで所定の光学情報が記録されている光学的機能層と、透明な基材層と、前記所定の波長の光線を反射する反射層と、最初は保磁力が低く設定されており、一度磁界に暴露すると著しく保磁力が高くなる特性を示す強磁性体を含有する磁性層とが、前記光学的機能層、前記透明な基材層、前記反射層、前記磁性層の順番で積層されており、前記磁性層に磁界を印加することで改竄することが極めて困難な所定の磁気情報が記録されていることを特徴とする安全線条である。
この安全線条では、一度磁界に暴露すると著しく保磁力が高くなる特性を示す強磁性体を含有する磁性層の一部に磁界を印加することで磁気情報を記録することができるので、通常の状態で磁気情報の存在が視認不可能であるとともに、改竄することが極めて困難な磁気情報を一般的な磁気ヘッドにより記録、再生することができる。
更に、この安全線条では、飽和磁化の劣化が極めて少ない強磁性体を含有する磁性層を積層して安全線条を構成することができるので、安全線条に含まれる磁性材料の磁気特性を十分に抽出することができるとともに、機能性材料を発光させる所定の波長の光線を反射する反射層を積層して安全線条を構成することができるので、安全線条に含まれる機能性材料の光学的特性を十分に抽出することができる。
【００３１】
また、本発明は、前記安全線条において、前記反射層が前記所定の波長の光線を反射する材料を蒸着又は塗布して形成されていることを特徴とする安全線条である。
この安全線条では、安全線条の製造過程において所定の波長の光線を反射する材料を真空蒸着、スパッタリング等の公知の薄膜形成技術を用いて積層したり、所定の波長の光線を反射する材料を顔料化してグラビアコート、ロールコート、ダイコート、スクリーン印刷等の公知のコーティング技術や印刷技術を用いて積層することができるので、安全線条に含まれる機能性材料の光学的特性を十分に抽出するために設けられる反射層を簡単な方法により積層することができる。
【００３２】
また、本発明は、所定の波長の光線を照射すると発光して所定の光学的特性を示す機能性材料を付与することで所定の磁気情報が記録されている光学的機能層と、前記所定の波長の光線を反射する基材層である反射層と、最初は保磁力が低く設定されており、一度磁界に暴露すると著しく保磁力が高くなる特性を示す強磁性体を含有する磁性層とが、前記光学的機能層、前記所定の波長の光線を反射する基材層である反射層、前記磁性層の順番で積層されており、前記磁性層に磁界を印加することで改竄することが極めて困難な所定の磁気情報が記録されていることを特徴とする安全線条である。
この安全線条では、一度磁界に暴露すると著しく保磁力が高くなる特性を示す強磁性体を含有する磁性層の一部に磁界を印加することで磁気情報を記録することができるので、通常の状態で磁気情報の存在が視認不可能であるとともに、改竄することが極めて困難な磁気情報を一般的な磁気ヘッドにより記録、再生することができる。
更に、この安全線条では、飽和磁化の劣化が極めて少ない強磁性体を含有する磁性層を積層して安全線条を構成することができるので、安全線条に含まれる磁性材料の磁気特性を十分に抽出することができるとともに、機能性材料を発光させる所定の波長の光線を反射する反射層を積層して安全線条を構成することができるので、安全線条に含まれる機能性材料の光学的特性を十分に抽出することができる。
【００３３】
また、本発明は、前記安全線条において、前記所定の光学情報が前記所定の磁気情報と所定の相関関係を持つように記録されていることを特徴とする安全線条である。
この安全線条では、磁性層に記録された所定の磁気情報と関連付けるようにして光学的機能層に所定の光学情報が記録されているので、磁性層に記録された磁気情報が所定の磁気情報と一致し、且つ、光学的機能層に記録された光学情報が所定の光学情報と一致している場合に、磁性層に記録された磁気情報と光学的機能層に記録された光学情報との間に所定の相関関係の存在を確認することができれば、所定の磁気情報と所定の光学情報のそれぞれの情報が正確に記録されていることに関する信頼性を一段と向上させることができる。
【００３４】
また、本発明は、第一の波長の光線を照射すると発光して第一の光学的特性を示す第一の機能性材料を付与することで第一の光学情報が記録されている第一の光学的機能層と、前記第一の波長の光線を反射する第一の反射層と、基材層と、最初は保磁力が低く設定されており、一度磁界に暴露すると著しく保磁力が高くなる特性を示す強磁性体を含有する磁性層と、第二の波長の光線を反射する第二の反射層と、前記第二の波長の光線を照射すると発光して第二の光学的特性を示す第二の機能性材料を付与することで第二の光学情報が記録されている第二の光学的機能層とが、前記第一の光学的機能層、前記第一の反射層、前記基材層、前記磁性層、前記第二の反射層、前記第二の光学的機能層の順番で積層されており、前記磁性層に磁界を印加することで改竄することが極めて困難な所定の磁気情報が記録されていることを特徴とする安全線条である。
この安全線条では、一度磁界に暴露すると著しく保磁力が高くなる特性を示す強磁性体を含有する磁性層の一部に磁界を印加することで磁気情報を記録することができるので、通常の状態で磁気情報の存在が視認不可能であるとともに、改竄することが極めて困難な磁気情報を一般的な磁気ヘッドにより記録、再生することができる。
更に、この安全線条では、飽和磁化の劣化が極めて少ない強磁性体を含有する磁性層を積層して安全線条を構成することができるので、安全線条に含まれる磁性材料の磁気特性を十分に抽出することができるとともに、機能性材料を発光させる所定の波長の光線を反射する反射層を積層して安全線条を構成することができるので、安全線条に含まれる機能性材料の光学的特性を十分に抽出することができる。
【００３５】
また、本発明は、第一の波長の光線を照射すると発光して第一の光学的特性を示す第一の機能性材料を付与することで第一の光学情報が記録されている第一の光学的機能層と、透明な基材層と、前記第一の波長の光線を反射する第一の反射層と、最初は保磁力が低く設定されており、一度磁界に暴露すると著しく保磁力が高くなる特性を示す強磁性体を含有する磁性層と、第二の波長の光線を反射する第二の反射層と、前記第二の波長の光線を照射すると発光して第二の光学的特性を示す第二の機能性材料を付与することで第二の光学情報が記録されている第二の光学的機能層とが、前記第一の光学的機能層、前記透明な基材層、前記第一の反射層、前記磁性層、前記第二の反射層、前記第二の光学的機能層の順番で積層されており、前記磁性層に磁界を印加することで改竄することが極めて困難な所定の磁気情報が記録されていることを特徴とする安全線条である。
この安全線条では、一度磁界に暴露すると著しく保磁力が高くなる特性を示す強磁性体を含有する磁性層の一部に磁界を印加することで磁気情報を記録することができるので、通常の状態で磁気情報の存在が視認不可能であるとともに、改竄することが極めて困難な磁気情報を一般的な磁気ヘッドにより記録、再生することができる。
更に、この安全線条では、飽和磁化の劣化が極めて少ない強磁性体を含有する磁性層を積層して安全線条を構成することができるので、安全線条に含まれる磁性材料の磁気特性を十分に抽出することができるとともに、機能性材料を発光させる所定の波長の光線を反射する反射層を積層して安全線条を構成することができるので、安全線条に含まれる機能性材料の光学的特性を十分に抽出することができる。
【００３６】
また、本発明は、透明な基材層と、第一の波長の光線を照射すると発光して第一の光学的特性を示す第一の機能性材料を付与することで第一の光学情報が記録されている第一の光学的機能層と、前記第一の波長の光線を反射する第一の反射層と、最初は保磁力が低く設定されており、一度磁界に暴露すると著しく保磁力が高くなる特性を示す強磁性体を含有する磁性層と、第二の波長の光線を反射する第二の反射層と、前記第二の波長の光線を照射すると発光して第二の光学的特性を示す第二の機能性材料を付与することで第二の光学情報が記録されている第二の光学的機能層とが、前記透明な基材層、前記第一の光学的機能層、前記第一の反射層、前記磁性層、前記第二の反射層、前記第二の光学的機能層の順番で積層されており、前記磁性層に磁界を印加することで改竄することが極めて困難な所定の磁気情報が記録されていることを特徴とする安全線条である。
この安全線条では、一度磁界に暴露すると著しく保磁力が高くなる特性を示す強磁性体を含有する磁性層の一部に磁界を印加することで磁気情報を記録することができるので、通常の状態で磁気情報の存在が視認不可能であるとともに、改竄することが極めて困難な磁気情報を一般的な磁気ヘッドにより記録、再生することができる。
更に、この安全線条では、飽和磁化の劣化が極めて少ない強磁性体を含有する磁性層を積層して安全線条を構成することができるので、安全線条に含まれる磁性材料の磁気特性を十分に抽出することができるとともに、機能性材料を発光させる所定の波長の光線を反射する反射層を積層して安全線条を構成することができるので、安全線条に含まれる機能性材料の光学的特性を十分に抽出することができる。
【００３７】
また、本発明は、前記安全線条において、前記第一の反射層が前記第一の波長の光線を反射する材料を蒸着又は塗布して形成されていることを特徴とする安全線条である。
この安全線条では、安全線条の製造過程において所定の波長の光線を反射する材料を真空蒸着、スパッタリング等の公知の薄膜形成技術を用いて積層したり、所定の波長の光線を反射する材料を顔料化してグラビアコート、ロールコート、ダイコート、スクリーン印刷等の公知のコーティング技術や印刷技術を用いて積層することができるので、安全線条に含まれる機能性材料の光学的特性を十分に抽出するために設けられる反射層を簡単な方法により積層することができる。
【００３８】
また、本発明は、第一の波長の光線を照射すると発光して第一の光学的特性を示す第一の機能性材料を付与することで第一の光学情報が記録されている第一の光学的機能層と、前記第一の波長の光線を反射する基材層である第一の反射層と、最初は保磁力が低く設定されており、一度磁界に暴露すると著しく保磁力が高くなる特性を示す強磁性体を含有する磁性層と、第二の波長の光線を反射する第二の反射層と、前記第二の波長の光線を照射すると発光して第二の光学的特性を示す第二の機能性材料を付与することで第二の光学情報が記録されている第二の光学的機能層とが、前記第一の光学的機能層、前記第一の波長の光線を反射する基材層である第一の反射層、前記磁性層、前記第二の反射層、前記第二の光学的機能層の順番で積層されており、前記磁性層に磁界を印加することで改竄することが極めて困難な所定の磁気情報が記録されていることを特徴とする安全線条である。
この安全線条では、一度磁界に暴露すると著しく保磁力が高くなる特性を示す強磁性体を含有する磁性層の一部に磁界を印加することで磁気情報を記録することができるので、通常の状態で磁気情報の存在が視認不可能であるとともに、改竄することが極めて困難な磁気情報を一般的な磁気ヘッドにより記録、再生することができる。
更に、この安全線条では、飽和磁化の劣化が極めて少ない強磁性体を含有する磁性層を積層して安全線条を構成することができるので、安全線条に含まれる磁性材料の磁気特性を十分に抽出することができるとともに、機能性材料を発光させる所定の波長の光線を反射する反射層を積層して安全線条を構成することができるので、安全線条に含まれる機能性材料の光学的特性を十分に抽出することができる。
【００３９】
また、本発明は、前記安全線条において、前記第二の反射層が前記第二の波長の光線を反射する材料を蒸着又は塗布して形成されていることを特徴とする安全線条である。
この安全線条では、安全線条の製造過程において所定の波長の光線を反射する材料を真空蒸着、スパッタリング等の公知の薄膜形成技術を用いて積層したり、所定の波長の光線を反射する材料を顔料化してグラビアコート、ロールコート、ダイコート、スクリーン印刷等の公知のコーティング技術や印刷技術を用いて積層することができるので、安全線条に含まれる機能性材料の光学的特性を十分に抽出するために設けられる反射層を簡単な方法により積層することができる。
【００４０】
また、本発明は、前記安全線条において、前記第一の光学情報が前記所定の磁気情報と所定の相関関係を持つように記録されていることを特徴とする安全線条である。
この安全線条では、磁性層に記録された所定の磁気情報と関連付けるようにして第一の光学的機能層に第一の光学情報が記録されているので、磁性層に記録された磁気情報が所定の磁気情報と一致し、且つ、第一の光学的機能層に記録された光学情報が第一の光学情報と一致している場合に、磁性層に記録された磁気情報と第一の光学的機能層に記録された光学情報との間に所定の相関関係の存在を確認することができれば、所定の磁気情報と第一の光学情報のそれぞれの情報が正確に記録されていることに関する信頼性を一段と向上させることができる。
【００４１】
また、本発明は、前記安全線条において、前記第二の光学情報が前記所定の磁気情報と所定の相関関係を持つように記録されていることを特徴とする安全線条である。
この安全線条では、磁性層に記録された所定の磁気情報と関連付けるようにして第二の光学的機能層に第二の光学情報が記録されているので、磁性層に記録された磁気情報が所定の磁気情報と一致し、且つ、第二の光学的機能層に記録された光学情報が第二の光学情報と一致している場合に、磁性層に記録された磁気情報と第二の光学的機能層に記録された光学情報との間に所定の相関関係の存在を確認することができれば、所定の磁気情報と第二の光学情報のそれぞれの情報が正確に記録されていることに関する信頼性を一段と向上させることができる。
【００４２】
また、本発明は、この明細書の段落番号００２６記載の安全線条が紙層中に埋設された偽造防止用紙であって、前記偽造防止用紙の紙層中に埋設された前記安全線条を構成する各層が前記偽造防止用紙の厚さ方向に向けて積層されており、前記偽造防止用紙の紙層中に埋設された前記安全線条に前記所定の磁気情報が記録されており、前記所定の磁気情報が前記偽造防止用紙の表面から磁気的に読み取ることのできる磁気情報であることを特徴とする偽造防止用紙である。
この偽造防止用紙では、励磁ヘッドを用いて磁気的に励起しなくても磁気的に読み取ることができる磁気情報が一度磁界に暴露すると著しく保磁力が高くなる特性を示す強磁性体を含有する磁性層に記録されているので、偽造防止用紙の表面から磁気的に読み取ることができる磁気情報であって、改竄することが極めて困難な磁気情報に基づいて偽造防止用紙の正確な真偽判別を恒久的に行うことができる。
更に、この偽造防止用紙では、改竄することが極めて困難な磁気情報を記録した安全線条が紙層中に埋設されているので、改竄することが極めて困難な磁気情報を印刷、転写、蒸着などの手段を用いて表面に記録する必要がない。
【００４３】
また、本発明は、この明細書の段落番号００２７乃至００３３のいずれかに記載の安全線条が紙層中に埋設された偽造防止用紙であって、前記偽造防止用紙の紙層中に埋設された前記安全線条を構成する各層が前記偽造防止用紙の厚さ方向に向けて積層されており、前記偽造防止用紙の紙層中に埋設された前記安全線条に前記所定の磁気情報及び前記所定の光学情報が記録されており、前記所定の磁気情報が前記偽造防止用紙の表面から磁気的に読み取ることのできる磁気情報であり、前記所定の光学情報が前記偽造防止用紙の表面から光学的に読み取ることのできる光学情報であることを特徴とする偽造防止用紙である。
この偽造防止用紙では、励磁ヘッドを用いて磁気的に励起しなくても磁気的に読み取ることができる磁気情報が一度磁界に暴露すると著しく保磁力が高くなる特性を示す強磁性体を含有する磁性層に記録されているとともに、所定の波長の光線を照射すると反射層の存在により光学的に読み取ることができる程度に十分に発光する光学情報が光学的機能層に記録されているので、偽造防止用紙の表面から磁気的に読み取ることができる磁気情報であって、改竄することが極めて困難な磁気情報と、偽造防止用紙の表面から光学的に読み取ることができる光学情報とに基づいて偽造防止用紙の正確な真偽判別を恒久的に行うことができる。
更に、この偽造防止用紙では、改竄することが極めて困難な磁気情報を記録した安全線条が紙層中に埋設されているので、改竄することが極めて困難な磁気情報を印刷、転写、蒸着などの手段を用いて表面に記録する必要がない。
【００４４】
また、本発明は、この明細書の段落番号００３４乃至００４１のいずれかに記載の安全線条が紙層中に埋設された偽造防止用紙であって、前記偽造防止用紙の紙層中に埋設された前記安全線条を構成する各層が前記偽造防止用紙の厚さ方向に向けて積層されており、前記偽造防止用紙の紙層中に埋設された前記安全線条に前記所定の磁気情報、前記第一の光学情報及び前記第二の光学情報が記録されており、前記所定の磁気情報が前記偽造防止用紙の表面から磁気的に読み取ることのできる磁気情報であり、前記第一の光学情報が前記偽造防止用紙の表面から光学的に読み取ることのできる光学情報であり、前記第二の光学情報が前記偽造防止用紙の表面から光学的に読み取ることのできる光学情報であることを特徴とする偽造防止用紙である。
この偽造防止用紙では、励磁ヘッドを用いて磁気的に励起しなくても磁気的に読み取ることができる磁気情報が一度磁界に暴露すると著しく保磁力が高くなる特性を示す強磁性体を含有する磁性層に記録されているとともに、所定の波長の光線を照射すると反射層の存在により光学的に読み取ることができる程度に十分に発光する光学情報が光学的機能層に記録されているので、偽造防止用紙の表面から磁気的に読み取ることができる磁気情報であって、改竄することが極めて困難な磁気情報と、偽造防止用紙の表面から光学的に読み取ることができる光学情報とに基づいて偽造防止用紙の正確な真偽判別を恒久的に行うことができる。
更に、この偽造防止用紙では、改竄することが極めて困難な磁気情報を記録した安全線条が紙層中に埋設されているので、改竄することが極めて困難な磁気情報を印刷、転写、蒸着などの手段を用いて表面に記録する必要がない。
【００４５】
また、本発明は、この明細書の段落番号００４２乃至００４４のいずれかに記載の偽造防止用紙を基材として使用したことを特徴とする紙幣、有価証券、金銭的価値を有する証紙類及び権利、資格、ＩＤ情報を証明する書類を含む貴重印刷物である。
この貴重印刷物では、この明細書の段落番号００４２記載の偽造防止用紙を基材として使用した時には、励磁ヘッドを用いて磁気的に励起しなくても磁気的に読み取ることができる磁気情報が一度磁界に暴露すると著しく保磁力が高くなる特性を示す強磁性体を含有する磁性層に記録されているので、貴重印刷物の表面から磁気的に読み取ることができる磁気情報であって、改竄することが極めて困難な磁気情報に基づいて貴重印刷物の正確な真偽判別を恒久的に行うことができる。
一方、この貴重印刷物では、この明細書の段落番号００４３又は００４４記載の偽造防止用紙を基材として使用した時には、励磁ヘッドを用いて磁気的に励起しなくても磁気的に読み取ることができる磁気情報が一度磁界に暴露すると著しく保磁力が高くなる特性を示す強磁性体を含有する磁性層に記録されているとともに、所定の波長の光線を照射すると反射層の存在により光学的に読み取ることができる程度に十分に発光する光学情報が光学的機能層に記録されているので、貴重印刷物の表面から磁気的に読み取ることができる磁気情報であって、改竄することが極めて困難な磁気情報と、貴重印刷物の表面から光学的に読み取ることができる光学情報とに基づいて貴重印刷物の正確な真偽判別を恒久的に行うことができる。
更に、この貴重印刷物では、改竄することが極めて困難な磁気情報を記録した安全線条が紙層中に埋設されているので、改竄することが極めて困難な磁気情報を印刷、転写、蒸着などの手段を用いて表面に記録する必要がない。
【００４６】
また、本発明は、この明細書の段落番号００４２記載の偽造防止用紙の真偽判別装置であって、前記偽造防止用紙の紙層中に埋設されている前記安全線条に対して、前記磁性層に磁気情報を記録した後に前記強磁性体が示す保磁力よりも小さい磁界を印加して前記磁性層を消磁する消磁ヘッドと、前記磁性層を消磁した後に前記磁性層に残留している磁気情報を磁気的に読み取る磁気ヘッドとを用いて前記安全線条の磁気情報を測定する磁性測定部と、前記磁性測定部で基準となる真正な偽造防止用紙に対応する前記所定の磁気情報と一致する磁気情報が測定された時に、前記偽造防止用紙を真正と判定する真偽判別部とを備えたことを特徴とする偽造防止用紙の真偽判別装置である。
この偽造防止用紙の真偽判別装置では、偽造防止用紙の紙層中に埋設されている安全線条の磁性層に外部から磁界を印加しても改竄することができない磁気情報が記録されているので、偽造防止用紙の安全線条を消磁した後に、安全線条に残留している磁気情報として磁気ヘッドを用いて磁気的に読み取られた磁気情報が、真正な偽造防止用紙の安全線条に極めて高い保磁力を持つように記録されている磁気情報と一致するか否かを判断して偽造防止用紙の正確な真偽判別を行うことができる。
【００４７】
また、本発明は、この明細書の段落番号００４３記載の偽造防止用紙の真偽判別装置であって、前記偽造防止用紙の紙層中に埋設されている前記安全線条に対して、前記磁性層に磁気情報を記録した後に前記強磁性体が示す保磁力よりも小さい磁界を印加して前記磁性層を消磁する消磁ヘッドと、前記磁性層を消磁した後に前記磁性層に残留している磁気情報を磁気的に読み取る磁気ヘッドとを用いて前記安全線条の磁気情報を測定する磁性測定部と、前記偽造防止用紙の紙層中に埋設されている前記安全線条に対して、前記所定の波長の光線を照射する光源と、前記所定の波長の光線を照射した際に得られる光学情報を光学的に読み取るフォトセンサとを用いて前記安全線条の光学情報を抽出する光学的特性抽出部と、前記磁性測定部で基準となる真正な偽造防止用紙に対応する前記所定の磁気情報と一致する磁気情報が測定され、且つ、前記光学的特性抽出部で基準となる真正な偽造防止用紙に対応する前記所定の光学情報と一致する光学情報が前記偽造防止用紙のいずれか一方の表面から抽出された時に、前記偽造防止用紙を真正と判定する真偽判別部とを備えたことを特徴とする偽造防止用紙の真偽判別装置である。
この偽造防止用紙の真偽判別装置では、偽造防止用紙の紙層中に埋設されている安全線条の磁性層に外部から磁界を印加しても改竄することができない磁気情報が記録されているとともに、偽造防止用紙の紙層中に埋設されている安全線条の光学的機能層に所定の波長の光線を照射すると反射層の存在により十分に発光する光学情報が記録されているので、偽造防止用紙の安全線条を消磁した後に、安全線条に残留している磁気情報として磁気ヘッドを用いて磁気的に読み取られた磁気情報が、真正な偽造防止用紙の安全線条に極めて高い保磁力を持つように記録されている磁気情報と一致し、且つ、偽造防止用紙の安全線条からフォトセンサを用いて光学的に読み取られた光学情報が、真正な偽造防止用紙の安全線条に記録されている光学情報と一致するか否かを判断して偽造防止用紙の正確な真偽判別を行うことができる。
【００４８】
また、本発明は、この明細書の段落番号００４４記載の偽造防止用紙の真偽判別装置であって、前記偽造防止用紙の紙層中に埋設されている前記安全線条に対して、前記磁性層に磁気情報を記録した後に前記強磁性体が示す保磁力よりも小さい磁界を印加して前記磁性層を消磁する消磁ヘッドと、前記磁性層を消磁した後に前記磁性層に残留している磁気情報を磁気的に読み取る磁気ヘッドとを用いて前記安全線条の磁気情報を測定する磁性測定部と、前記偽造防止用紙の紙層中に埋設されている前記安全線条に対して、前記第一の波長の光線を照射する第一の光源と、前記第一の波長の光線を照射した際に得られる光学情報を光学的に読み取る第一のフォトセンサとを用いて前記安全線条の光学情報を抽出する第一の光学的特性抽出部と、前記偽造防止用紙の紙層中に埋設されている前記安全線条に対して、前記第二の波長の光線を照射する第二の光源と、前記第二の波長の光線を照射した際に得られる光学情報を光学的に読み取る第二のフォトセンサとを用いて前記安全線条の光学情報を抽出する第二の光学的特性抽出部と、前記磁性測定部で基準となる真正な偽造防止用紙に対応する前記所定の磁気情報と一致する磁気情報が測定されるとともに、前記第一の光学的特性抽出部で基準となる真正な偽造防止用紙に対応する前記第一の光学情報と一致する光学情報が前記偽造防止用紙のいずれか一方の表面から抽出され、且つ、前記第二の光学的特性抽出部で基準となる真正な偽造防止用紙に対応する前記第二の光学情報と一致する光学情報が前記偽造防止用紙の他方の表面から抽出された時に、前記偽造防止用紙を真正と判定する真偽判別部とを備えたことを特徴とする偽造防止用紙の真偽判別装置である。
この偽造防止用紙の真偽判別装置では、偽造防止用紙の紙層中に埋設されている安全線条の磁性層に外部から磁界を印加しても改竄することができない磁気情報が記録されているとともに、偽造防止用紙の紙層中に埋設されている安全線条の光学的機能層に所定の波長の光線を照射すると反射層の存在により十分に発光する光学情報が記録されているので、偽造防止用紙の安全線条を消磁した後に、安全線条に残留している磁気情報として磁気ヘッドを用いて磁気的に読み取られた磁気情報が、真正な偽造防止用紙の安全線条に極めて高い保磁力を持つように記録されている磁気情報と一致し、且つ、偽造防止用紙の安全線条からフォトセンサを用いて光学的に読み取られた光学情報が、真正な偽造防止用紙の安全線条に記録されている光学情報と一致するか否かを判断して偽造防止用紙の正確な真偽判別を行うことができる。
【００４９】
また、本発明は、この明細書の段落番号００４６乃至００４８のいずれかに記載の偽造防止用紙の真偽判別装置において、前記偽造防止用紙を基材として使用した紙幣、有価証券、金銭的価値を有する証紙類及び権利、資格、ＩＤ情報を証明する書類を含む貴重印刷物を真偽判別の対象とすることを特徴とする貴重印刷物の真偽判別装置である。
この貴重印刷物の真偽判別装置では、貴重印刷物の紙層中に埋設されている安全線条の磁性層に外部から磁界を印加しても改竄することができない磁気情報が記録されている時には、貴重印刷物の安全線条を消磁した後に、安全線条に残留している磁気情報として磁気ヘッドを用いて磁気的に読み取られた磁気情報が、真正な貴重印刷物の安全線条に極めて高い保磁力を持つように記録されている磁気情報と一致するか否かを判断して貴重印刷物の正確な真偽判別を行うことができる。
一方、この貴重印刷物の真偽判別装置では、貴重印刷物の紙層中に埋設されている安全線条の磁性層に外部から磁界を印加しても改竄することができない磁気情報が記録されているとともに、貴重印刷物の紙層中に埋設されている安全線条の光学的機能層に所定の波長の光線を照射すると反射層の存在により十分に発光する光学情報が記録されている時には、貴重印刷物の安全線条を消磁した後に、安全線条に残留している磁気情報として磁気ヘッドを用いて磁気的に読み取られた磁気情報が、真正な貴重印刷物の安全線条に極めて高い保磁力を持つように記録されている磁気情報と一致し、且つ、貴重印刷物の安全線条からフォトセンサを用いて光学的に読み取られた光学情報が、真正な貴重印刷物の安全線条に記録されている光学情報と一致するか否かを判断して貴重印刷物の正確な真偽判別を行うことができる。
【００５０】
【発明の実施の形態】
以下、本発明に係る安全線条、偽造防止用紙、貴重印刷物及びその真偽判別装置の概要を図面を用いて簡単に説明する。
【００５１】
本発明に係る安全線条は、磁気情報のみを記録することができる安全線条、磁気情報とともに片面のみに光学情報を記録することができる安全線条、磁気情報とともに両面に光学情報を記録することができる安全線条の三種類の安全線条に分類される。
これらの安全線条は、ポリエチレンテレフタレート、ポリエチレンナフタレート又はアラミド等の高分子材料から構成される支持体フィルムを基材層とした上で、図２〜図４のいずれかに示すように各層を積層したシート状物をスリッタを用いて帯状の長尺物にスリット加工したものであり、図１（ａ）に示すようにボビンに巻き取られた状態から長網抄紙機や円網抄紙機上に繰り出されて偽造防止用紙の紙層中に埋設される。図１（ｂ）の斜線部は、本発明に係る安全線条を長手方向に対して垂直に切断した際に得られる断面を示しており、図２〜図４のいずれかに示すように各層が積層されている。
この際、本発明に係る安全線条は、特開平12−96491号公報に開示されているように、安全線条を製造する際のコスト、安全線条を偽造防止用紙の紙層中に埋設する際の作業性、偽造防止用紙における偽造防止効果や機械処理適性等を考慮して１〜５mm、とりわけ1.5mm前後の幅と10〜35μmの厚さを備えていることが好ましい。また、本発明に係る安全線条に記録される磁気情報や光学情報は、図２〜図４のいずれかに示すように各層が積層されたシート状物を所定の幅にスリット加工すれば長手方向に向けて磁気情報や光学情報が記録されている安全線条を得ることができるように、シート状物をスリット加工する方向に向けてスリット加工する以前のシート状物に対して記録される。
【００５２】
図２は、本発明に係る安全線条であって、磁気情報のみを記録することができる安全線条を長手方向に対して垂直に切断した際に得られる断面図を示している。この場合、基材層と、最初は保磁力が低く設定されており、一度磁界に暴露すると著しく保磁力が高くなる特性を示す強磁性体を含有する磁性層とが厚さ方向に向けて積層されて本発明に係る安全線条が構成されている。
この安全線条では、一度磁界に暴露すると著しく保磁力が高くなる特性を示す強磁性体を含有する磁性層の一部に磁界を印加することで磁気情報を記録することができるので、通常の状態で磁気情報の存在が視認不可能であるとともに、改竄することが極めて困難な磁気情報を一般的な磁気ヘッドを用いて記録、再生することができる。すなわち、この安全線条では、一度磁界に暴露することで所定の磁気情報が著しく保磁力の高い状態で記録されることになるので、一度記録された所定の磁気情報を外部から磁界を印加して消磁した上で、新たな磁気情報に書き換えることが極めて困難になる。
この時、本発明に係る安全線条を構成する磁性層には、一度磁界に暴露すると著しく保磁力が高くなる特性を示す強磁性体とともに、比較的に保磁力が小さい酸化物磁性粉末、金属磁性粉末、合金磁性粉末及び化合物磁性粉末の中から選ばれる少なくとも１種の磁性材料や高透磁率の磁性材料が含有されていても差し支えない。すなわち、本発明に係る安全線条に改竄することが極めて困難な磁気情報を記録することができるためには、安全線条を構成する磁性層に一度磁界に暴露すると著しく保磁力が高くなる特性を示す強磁性体が含有されていればよい。また、この安全線条では、飽和磁化の劣化が極めて少ない強磁性体を含有する磁性層を積層して安全線条を構成することができるので、安全線条に含まれる磁性材料の磁気特性を十分に抽出することができる。
【００５３】
図３（ａ）は、本発明に係る安全線条であって、磁気情報とともに片面のみに光学情報を記録することができる安全線条を長手方向に対して垂直に切断した際に得られる断面図を示している。この場合、基材層と、最初は保磁力が低く設定されており、一度磁界に暴露すると著しく保磁力が高くなる特性を示す強磁性体を含有する磁性層と、所定の波長の光線を反射する反射層と、前記所定の波長の光線を照射すると発光して所定の光学的特性を示す機能性材料を付与した光学的機能層とが、前記基材層、前記磁性層、前記反射層、前記光学的機能層の順番で厚さ方向に向けて積層されて本発明に係る安全線条が構成されている。
この安全線条では、磁性層と磁気情報とに関して図２に示す安全線条と同じ作用、効果を奏することができるとともに、機能性材料を発光させる所定の波長の光線を反射する反射層を積層して安全線条を構成することができるので、安全線条に含まれる機能性材料の光学的特性を十分に抽出することができる。
更に、この安全線条では、磁性層に記録された改竄することが極めて困難な磁気情報と関連付けるようにして光学的機能層に光学情報を記録しておけば、光学情報を改竄する不正が行われたとしても容易に不正を看破することができる。
なお、図３（ｂ）〜（ｅ）は、いずれも、本発明に係る安全線条であって、磁気情報とともに片面のみに光学情報を記録することができる安全線条を長手方向に対して垂直に切断した際に得られる断面図を示しているが、これらの安全線条も図３（ａ）に示す安全線条と同じ作用、効果を奏することができる。
【００５４】
図４（ａ）は、本発明に係る安全線条であって、磁気情報とともに両面に光学情報を記録することができる安全線条を長手方向に対して垂直に切断した際に得られる断面図を示している。この場合、第一の波長の光線を照射すると発光して第一の光学的特性を示す第一の機能性材料を付与した第一の光学的機能層と、前記第一の波長の光線を反射する第一の反射層と、基材層と、最初は保磁力が低く設定されており、一度磁界に暴露すると著しく保磁力が高くなる特性を示す強磁性体を含有する磁性層と、第二の波長の光線を反射する第二の反射層と、前記第二の波長の光線を照射すると発光して第二の光学的特性を示す第二の機能性材料を付与した第二の光学的機能層とが、前記第一の光学的機能層、前記第一の反射層、前記基材層、前記磁性層、前記第二の反射層、前記第二の光学的機能層の順番で厚さ方向に向けて積層されて本発明に係る安全線条が構成されている。
この安全線条では、磁性層と磁気情報とに関して図２に示す安全線条と同じ作用、効果を奏することができるとともに、第一の機能性材料を発光させる第一の波長の光線を反射する第一の反射層と第二の機能性材料を発光させる第二の波長の光線を反射する第二の反射層とを積層して安全線条を構成することができるので、安全線条に含まれる第一の機能性材料の第一の光学的特性と安全線条に含まれる第二の機能性材料の第二の光学的特性とを十分に抽出することができる。
更に、この安全線条では、磁性層に記録された改竄することが極めて困難な磁気情報と関連付けるようにして第一の光学的機能層及び第二の光学的機能層の少なくともいずれかの光学的機能層に光学情報を記録しておけば、光学情報を改竄する不正が行われたとしても容易に不正を看破することができる。
なお、図４（ｂ）〜（ｄ）は、いずれも、本発明に係る安全線条であって、磁気情報とともに両面に光学情報を記録することができる安全線条を長手方向に対して垂直に切断した際に得られる断面図を示しているが、これらの安全線条も図４（ａ）に示す安全線条と同じ作用、効果を奏することができる。
【００５５】
図２〜図４に示す安全線条では、MnBiを主体とする強磁性体を全面に塗布したシート状物を長手方向に向けて所定の幅にスリット加工することで、最初は保磁力が低く設定されており、一度磁界に暴露すると著しく保磁力が高くなる特性を示す強磁性体を含有する磁性層を積層することができる。
ここで、MnBiを主体とする強磁性体を全面に塗布したシート状物が上流から下流に向けて搬送されていると仮定した上で、磁性層に磁気情報を記録するための具体的な方法について説明する。
上流から下流に向けて所定の秒速ｖmmで搬送されていくシート状物を長手方向に向けて所定の幅にスリット加工することで長手方向に連続する長尺物である安全線条を得ようとする時、はじめに、シート状物を長手方向に向けてスリット加工しようとする位置にあらかじめ固定された磁気ヘッドを用いて、シート状物をスリット加工する方向である安全線条の長手方向の所定の位置Ｐからｔ秒間だけ所定の周波数ｆHzの交流磁界を磁性層に印加する。次に、交流磁界を印加した磁気ヘッドの下流に固定されている磁気ヘッドを用いて、安全線条の長手方向に向けて連続して所定の直流磁界を印加する。この記録方法によれば、安全線条の長手方向における所定の位置Ｐから安全線条の長手方向に向けてｖ×ｔmmの距離の間に連続してｆ×ｔ本の矩形波を著しく保磁力が高い状態、すなわち、改竄することが極めて困難な状態で記録することができる。この場合、安全線条の長手方向に向けて連続して記録されている矩形波の数、安全線条の長手方向に向けて矩形波が連続して記録されている距離、安全線条の長手方向に向けて矩形波が記録されている区域と矩形波が記録されていない区域とを用いて記録されている各種のパターン情報などを磁気情報とすることができる。
一方、上流から下流に向けて所定の秒速ｖmmで搬送されていくシート状物を長手方向に向けて所定の幅にスリット加工することで長手方向に連続する長尺物である安全線条を得ようとする時、シート状物を長手方向に向けてスリット加工しようとする位置にあらかじめ固定された磁気ヘッドを用いて、シート状物をスリット加工する方向である安全線条の長手方向に向けて所定の周波数ｆHzの交流磁界を連続して磁性層に印加すれば、安全線条の長手方向における任意の位置Ｑから安全線条の長手方向に向けてｄmmの距離の間に連続してｄ×ｆ／ｖ本の矩形波を著しく保磁力が高い状態、すなわち、改竄することが極めて困難な状態で記録することができる。この場合、安全線条の長手方向における任意の位置Ｑから安全線条の長手方向に向けてｄmmの距離の間に連続して記録されている矩形波の数を磁気情報とすることができる。
【００５６】
図３及び図４に示す安全線条では、所定の波長の光線を反射する特性を持った材料を全面に蒸着、メッキ又は塗布したシート状物を長手方向に向けて所定の幅にスリット加工することで反射層を積層することができる。例えば、所定の波長の光線を反射する特性を持った材料である純金属、合金又は酸化物を真空蒸着によって全面に蒸着したシート状物を長手方向に向けて所定の幅にスリット加工して反射層を積層したり、ほぼ全ての波長の光線を反射する特性を持った炭酸カルシウムを全面に塗布したシート状物を長手方向に向けて所定の幅にスリット加工して反射層を積層することができる。
また、共有押し出し成形技術を用いて、基材中に所定の波長の光線を反射する特性を持った材料やほぼ全ての波長の光線を反射する特性を持った炭酸カルシウムを含有させたシート状物を長手方向に向けて所定の幅にスリット加工して基材自体を反射層とすることも可能である。
【００５７】
図３及び図４に示す安全線条では、可視領域、紫外領域又は赤外領域のいずれかの領域の波長の光を発光する蛍光発光物質を安全線条の長手方向に相当する方向に向けて塗布又は印刷したシート状物を安全線条の長手方向に相当する方向に向けて所定の幅にスリット加工することで光学的機能層を積層することができる。この場合、安全線条の長手方向に向けて蛍光発光物質を用いて記録されている微小文字、安全線条の長手方向に向けて蛍光発光物質が連続して付与されている距離、安全線条に付与されている蛍光発光物質が励起発光した際の発光波長、安全線条の長手方向に向けて蛍光発光物質が付与されている区域と蛍光発光物質が付与されていない区域とを用いて記録されている各種のパターン情報などを光学情報とすることができる。
可視領域の波長の光を発光する物質は、例えば硫化亜鉛系化合物、酸化亜鉛系化合物、ケイ酸亜鉛系化合物等があり、紫外領域の波長の光を発光する物質は、例えばBaSi2O5:Pb、SrB4O7:Eu、Ca3(PO4)2:Tl等があり、赤外領域の波長の光を発光する物質は、例えばLiAlO2:Fe、(Zn・Cd)S:Cu、YVO4:Nd等がある。また、蛍光発光物質としては、可視領域、紫外領域又は赤外領域のいずれかの領域の波長の光線によって励起発光する材料を使用してもよいし、熱によって励起発光する材料を使用してもよい。
ここで、通常時に反射層の色調と同じ色調を示すように光学情報を光学的機能層に記録するか、或いは、通常時に透明な状態を示すように光学情報を光学的機能層に記録すれば、通常時において視認不可能な光学情報を光学的機能層に記録した上で、通常時において視認不可能な光学情報を所定の視認条件のもとでのみ光学的機能層から光学的に読み取ることが可能となる。この時、安全線条に記録されている光学情報をより一層、秘匿することができるので、偽造防止用紙の偽造、改竄をより一層、困難にすることが可能となる。
【００５８】
本発明に係る偽造防止用紙は、図２〜図４のいずれかに示す安全線条が紙層中に埋設されており、安全線条に記録された情報を用紙の表面から正確に読み取ることができるように、安全線条を構成する各層が用紙の厚さ方向に向けて積層されている偽造防止用紙である。
本発明に係る偽造防止用紙を製造するにあたって、特開昭51−130309号公報、特公平4−78760号公報に開示される技術によれば長網抄紙機を用いて安全線条を紙層中に埋設することができるし、特開昭48−75808号公報、特公平5−40080号公報に開示される技術によれば円網抄紙機を用いて安全線条を紙層中に埋設することができる。この際、特公平4−78760号公報に開示されるように長網抄紙機上に安全線条の反転調整用レバーを設けたり、特願平11−307051号に開示されるように長網抄紙機上で紙層中に安全線条を挿入するための挿入管の駆動を制御したり、特公平5−40080号公報に開示されるように円網抄紙機上に安全線条を繰り出すための送管の内部に螺旋状の細管を挿入したりすることによって、偽造防止用紙の紙層中にねじれや反転を生じることなく安全線条を埋設することができるので、安全線条を構成する各層が用紙の厚さ方向に向けて積層されている偽造防止用紙を得ることができる。
また、本発明に係る偽造防止用紙を製造するにあたって、特公平5−85680号公報、特開平6−272200号公報に開示される技術を用いて、長網抄紙機上で安全線条の一部を用紙の表面に露出させるための窓部を形成した偽造防止用紙を得てもよいし、EPO/059056号公報、米国特許第4462886号公報、特開平9−316796号公報、特開平9−67798号公報に開示される技術を用いて円網抄紙機上で安全線条の一部を用紙の表面に露出させるための窓部を形成した偽造防止用紙を得てもよい。ただし、本発明に係る作用、効果に関して、安全線条が完全に紙層中に埋設されている偽造防止用紙と安全線条の一部を露出させるための窓部が形成されている偽造防止用紙との間に格別の差異が存在するとは認められないので、説明の便宜上、以下では、前者の類型の偽造防止用紙についてのみ説明する。
【００５９】
図５（ａ）は、本発明に係る偽造防止用紙３の斜視図である。偽造防止用紙３の紙層中に本発明に係る安全線条２が埋設されている。図５（ｂ）は、D1方向から観察した際に得られる偽造防止用紙３のＸ−Ｘ断面図であり、図５（ｃ）は、D2方向から観察した際に得られる偽造防止用紙３のＹ−Ｙ断面図である。
この偽造防止用紙３では、安全線条２が図２に示す構造を備えている場合、励磁ヘッドを用いて磁気的に励起しなくても磁気的に読み取ることができる磁気情報が一度磁界に暴露すると著しく保磁力が高くなる特性を示す強磁性体を含有する磁性層に記録されているので、偽造防止用紙３の表面から一般的な磁気ヘッドを用いて磁気的に読み取ることができる磁気情報であって、改竄することが極めて困難な磁気情報に基づいて正確な真偽判別を恒久的に行うことができる。
また、この偽造防止用紙３では、安全線条２が図３や図４に示す構造を備えている場合、励磁ヘッドを用いて磁気的に励起しなくても磁気的に読み取ることができる磁気情報が一度磁界に暴露すると著しく保磁力が高くなる特性を示す強磁性体を含有する磁性層に記録されているとともに、所定の波長の光線を照射すると反射層の存在により光学的に読み取ることができる程度に十分に発光する光学情報が光学的機能層に記録されているので、偽造防止用紙３の表面から一般的な磁気ヘッドを用いて磁気的に読み取ることができる磁気情報であって、改竄することが極めて困難な磁気情報と、偽造防止用紙３の表面から一般的なフォトセンサを用いて光学的に読み取ることができる光学情報とに基づいて正確な真偽判別を恒久的に行うことができる。
ここで、本発明に係る偽造防止用紙３では、磁気テープが片面に貼付してある用紙や磁気情報が片面のみに記録されている磁気カードと異なり、磁気情報を記録した安全線条が紙層中に埋設されているので、偽造防止用紙３の表裏双方の表面のいずれの表面からでも安全線条２に記録されている磁気情報を磁気的に読み取ることができる。また、本発明に係る偽造防止用紙３では、磁性層よりも光学情報を記録した光学的機能層が近くに存在する偽造防止用紙３の表面に所定の波長の光線を照射した後に、磁性層よりも光学情報を記録した光学的機能層が近くに存在する偽造防止用紙３の表面から安全線条２に記録されている光学情報を光学的に読み取ることが可能である。
なお、偽造防止用紙３の紙層中に埋設される安全線条２に改竄することが極めて困難な磁気情報と関連付けるようにして光学情報を記録しておけば、光学情報を改竄する不正が行われたとしても容易に不正を看破することができるので、偽造防止用紙３のより一層、正確な真偽判別を行うことができる。
【００６０】
本発明に係る貴重印刷物は、図５に示す本発明に係る偽造防止用紙を基材として使用した紙幣、有価証券、金銭的価値を有する証紙類及び権利、資格、ＩＤ情報を証明する書類を含む貴重印刷物である。
図６（ａ）は、本発明に係る貴重印刷物４の斜視図である。貴重印刷物４の紙層中に本発明に係る安全線条２が埋設されている。図６（ｂ）は、D1方向から観察した際に得られる貴重印刷物４のＸ−Ｘ断面図であり、図６（ｃ）は、D2方向から観察した際に得られる貴重印刷物４のＹ−Ｙ断面図である。
この貴重印刷物４には、印刷、感熱転写、写真貼付、レーザ穿孔を含む公知の情報記録手段を用いて数字、記番号、バーコード、文字、記号、符号、模様、顔写真、図形、図案等の各種の情報５が記録されている。ここで、安全線条２が埋設されている領域に掛かるように各種の情報５が記録されていると、各種の情報５の存在が安全線条２に記録された情報を磁気的又は光学的に読み取るにあたっての障害となってしまうので、図６（ａ）に示すように各種の情報５は安全線条２が埋設されている領域に掛からないように記録されていることが好ましい。
この貴重印刷物４では、本発明に係る偽造防止用紙３において得られる作用、効果と同じ作用、効果を得ることができる。
また、この貴重印刷物４では、安全線条２に各種の情報５と関連付けて磁気情報や光学情報を記録すれば、貴重印刷物４のより一層、正確な真偽判別を行うことができる。
【００６１】
次に、本発明に係る偽造防止用紙の真偽判別装置について説明する。
本発明に係る偽造防止用紙の真偽判別装置は、その真偽判別の対象を本発明に係る偽造防止用紙から本発明に係る貴重印刷物に変更するだけで、本発明に係る貴重印刷物の真偽判別装置としても利用することができるので、説明の便宜上、以下では、本発明に係る偽造防止用紙の真偽判別装置についてのみ説明する。
図７及び図８は、本発明に係る偽造防止用紙の真偽判別装置の配置図である。この偽造防止用紙の真偽判別装置は、図２に示す類型の安全線条が紙層中に埋設されている偽造防止用紙の真偽判別装置であって、消磁ヘッド６を用いて安全線条２を長手方向に向けて消磁した後に、安全線条２に残留している磁気情報を磁気ヘッド７を用いて磁気的に読み取る磁性測定部14と、磁性測定部14で基準となる真正な偽造防止用紙に対応する所定の磁気情報と一致する磁気情報が測定された時に偽造防止用紙３を真正な偽造防止用紙と判定する真偽判別部18とを備えている。
【００６２】
図９〜図12は、本発明に係る偽造防止用紙の真偽判別装置の配置図である。この偽造防止用紙の真偽判別装置は、図３に示す類型の安全線条が紙層中に埋設されている偽造防止用紙の真偽判別装置であって、消磁ヘッド６を用いて安全線条２を長手方向に向けて消磁した後に、安全線条２に残留している磁気情報を磁気ヘッド７を用いて磁気的に読み取る磁性測定部14と、偽造防止用紙３の表面に光源８を用いて所定の波長の光線を照射した後に、所定の波長の光線を照射することで得られる光学情報をフォトセンサ９を用いて光学的に読み取る光学的特性抽出部15と、磁性測定部14で基準となる真正な偽造防止用紙に対応する所定の磁気情報と一致する磁気情報が測定され、且つ、光学的特性抽出部15で基準となる真正な偽造防止用紙に対応する所定の光学情報と一致する光学情報が偽造防止用紙３のいずれか一方の表面から抽出された時に偽造防止用紙３を真正な偽造防止用紙と判定する真偽判別部18とを備えている。
【００６３】
図13〜図16は、本発明に係る偽造防止用紙の真偽判別装置の配置図である。この偽造防止用紙の真偽判別装置は、図４に示す類型の安全線条が紙層中に埋設されている偽造防止用紙の真偽判別装置であって、消磁ヘッド６を用いて安全線条２を長手方向に向けて消磁した後に、安全線条２に残留している磁気情報を磁気ヘッド７を用いて磁気的に読み取る磁性測定部14と、偽造防止用紙３の表面に第一の光源10を用いて第一の波長の光線を照射した後に、第一の波長の光線を照射することで得られる光学情報を第一のフォトセンサ11を用いて光学的に読み取る第一の光学的特性抽出部16と、偽造防止用紙３の表面に第二の光源12を用いて第二の波長の光線を照射した後に、第二の波長の光線を照射することで得られる光学情報を第二のフォトセンサ13を用いて光学的に読み取る第二の光学的特性抽出部17と、磁性測定部14で基準となる真正な偽造防止用紙に対応する所定の磁気情報と一致する磁気情報が測定されるとともに、第一の光学的特性抽出部16で基準となる真正な偽造防止用紙に対応する第一の光学情報と一致する光学情報が偽造防止用紙３のいずれか一方の表面から抽出され、且つ、第二の光学的特性抽出部17で基準となる真正な偽造防止用紙に対応する第二の光学情報と一致する光学情報が偽造防止用紙３の他方の表面から抽出された時に偽造防止用紙３を真正な偽造防止用紙と判定する真偽判別部18とを備えている。
【００６４】
【実施例】
以下、実施例を用いて本発明に係る安全線条、偽造防止用紙及び貴重印刷物並びにその真偽判別装置について具体的に説明する。
なお、本発明では、以下の実施例に記載された事例のみに実施の形態が限定されるものではなく、本発明に係る特許請求の範囲に属する他の実施の形態を採用することができることは言及するまでもない。
【００６５】
（実施例１）
図17に示すように、安全線条２の長手方向に向けて２mmの距離の間に連続して13本の矩形波を著しく保磁力が高い状態、すなわち、改竄することが極めて困難な状態で記録することで安全線条２に磁性層を積層した。
具体的には、MnBiを主体とする強磁性体を全面に塗布したシート状物が上流から下流に向けて秒速2×2000／13mmで搬送されている時、はじめに、シート状物を長手方向に向けて所定の幅にスリット加工して安全線条２を得ようとする位置に固定された磁気ヘッドを用いて、シート状物をスリット加工する方向である安全線条２の長手方向に向けて13/2000秒間だけ２KHzの交流磁界を印加する。次に、交流磁界を印加した磁気ヘッドの下流に固定されている磁気ヘッドを用いて、安全線条２の長手方向に向けて連続して所定の直流磁界を印加することで、安全線条２の長手方向に向けて２mmの距離の間に連続して13本の矩形波を著しく保磁力が高い状態、すなわち、改竄することが極めて困難な状態で記録した。
この場合、安全線条２の長手方向に向けて連続して記録されている矩形波の数である13本を磁気情報とすることもできたし、安全線条２の長手方向に向けて矩形波が連続して記録されている距離である２mmを磁気情報とすることもできた。
【００６６】
（実施例２）
図18に示すように、安全線条２の長手方向に向けて著しく保磁力が高い状態、すなわち、改竄することが極めて困難な状態で矩形波を連続して記録することで安全線条２に磁性層を積層した。
具体的には、MnBiを主体とする強磁性体を全面に塗布したシート状物が上流から下流に向けて秒速2×2000／13mmで搬送されている時、シート状物を長手方向に向けて所定の幅にスリット加工して安全線条２を得ようとする位置に固定された磁気ヘッドを用いて、シート状物をスリット加工する方向である安全線条２の長手方向に向けて２KHzの交流磁界を連続して印加することで、安全線条２の長手方向に向けて２mmの距離の間に連続して13本の矩形波を著しく保磁力が高い状態、すなわち、改竄することが極めて困難な状態で記録した。
この場合、安全線条２の長手方向に向けて２mmの距離の間に連続して記録されている矩形波の数である13本を磁気情報とすることができた。
【００６７】
（実施例３）
図19に示すように、安全線条２の長手方向に向けて16mmの距離の間に、矩形波が記録されている区域22と矩形波が記録されていない区域23とから構成されるパターン情報24を著しく保磁力が高い状態、すなわち、改竄することが極めて困難な状態で記録することで安全線条２に磁性層を積層した。
この場合、安全線条２の長手方向に向けて記録されているパターン情報24を磁気情報とすることもできたし、安全線条２の長手方向に向けて記録されているパターン情報24の長さ16mmを磁気情報とすることもできた。
【００６８】
（実施例４）
炭酸カルシウムを主体とする塗工液をコーター（テスター産業株式会社製）を用いて全面に20μmの厚さで塗布したシート状物を長手方向に向けて所定の幅にスリット加工することで安全線条に反射層を積層した。
【００６９】
（実施例５）
図20に示すように、励起した際に530nmの波長の光を発光する蛍光発光物質25を用いて、安全線条２の長手方向に向けて５mmの距離の間に蛍光発光物質25を連続して印刷することで安全線条２に光学的機能層を積層した。
この場合、安全線条２の長手方向に向けて蛍光発光物質25が連続して印刷されている距離である５mmを光学情報とすることもできたし、蛍光発光物質25が励起した際に得られる発光の波長である530nmを光学情報とすることもできた。
【００７０】
（実施例６）
図21に示すように、励起した際に560nmの波長の光を発光する蛍光発光物質26を用いて、安全線条２の長手方向に向けて微小文字28である「2000」を所定の間隔をあけて連続して印刷することで安全線条２に光学的機能層を積層した。
この場合、安全線条２の長手方向に向けて記録されている微小文字28である「2000」を光学情報とすることもできたし、蛍光発光物質26が励起した際に得られる発光の波長である560nmを光学情報とすることもできた。
【００７１】
（実施例７）
図22に示すように、励起した際に350nmの波長の光を発光する蛍光発光物質27を用いて、安全線条２の長手方向に向けて24mmの距離の間に、蛍光発光物質27が印刷されている区域29と蛍光発光物質27が印刷されていない区域30とから構成されるパターン情報31を記録することで安全線条２に光学的機能層を積層した。
この場合、安全線条２の長手方向に向けて記録されているパターン情報31を光学情報とすることもできたし、安全線条２の長手方向に向けて記録されているパターン情報31の長さ24mmや蛍光発光物質27が励起した際に得られる発光の波長である350nmを光学情報とすることもできた。
【００７２】
（実施例８）
図23に示すように、励起した際に530nmの波長の光を発光する蛍光発光物質25を用いて、安全線条２の長手方向に向けて蛍光発光物質25を連続して印刷することで安全線条２に光学的機能層を積層した。
この場合、蛍光発光物質25が励起した際に得られる発光の波長である530nmを光学情報とすることができた。
【００７３】
（実施例９）
実施例１のように、安全線条２の長手方向に向けて矩形波が連続して記録されている距離である２mmを磁気情報とすることで安全線条２に磁性層を積層した。また、実施例５において、安全線条２の長手方向に向けて蛍光発光物質25が連続して印刷されている距離を４mmとし、安全線条２の長手方向に向けて蛍光発光物質25が連続して印刷されている距離である４mmを光学情報とすることで安全線条２に光学的機能層を積層した。
この場合、図24に示すように、磁気情報と光学情報との間に磁気情報における数値の２倍の数値が光学情報における数値と等しくなるという所定の相関関係が設定されているので、磁性層に記録された磁気情報が２mmと一致し、且つ、光学的機能層に記録された光学情報が４mmと一致している場合に、磁性層に記録された磁気情報と光学的機能層に記録された光学情報との間に所定の相関関係の存在を確認することができれば、磁気情報と光学情報のそれぞれの情報が正確に記録されていることに関する信頼性を一段と向上させることができた。
【００７４】
（実施例10）
実施例２のように、安全線条２の長手方向に向けて２mmの距離の間に連続して記録されている矩形波の数である13本を磁気情報とすることで安全線条２に磁性層を積層した。
また、実施例６において、安全線条２の長手方向に向けて記録されている微小文字28を「1101」とし、微小文字28である「1101」を光学情報とすることで安全線条２に光学的機能層を積層した。
この場合、図25に示すように、磁気情報と光学情報との間に磁気情報における「13」を２進法で表記した「1101」が光学情報として記録されているという所定の相関関係が設定されているので、磁性層に記録された磁気情報が13本と一致し、且つ、光学的機能層に記録された光学情報が「1101」と一致している場合に、磁性層に記録された磁気情報と光学的機能層に記録された光学情報との間に所定の相関関係の存在を確認することができれば、磁気情報と光学情報のそれぞれの情報が正確に記録されていることに関する信頼性を一段と向上させることができた。
【００７５】
（実施例11）
実施例５のように、励起した際に530nmの波長の光を発光する蛍光発光物質25を用いて、安全線条２の長手方向に向けて５mmの距離の間に蛍光発光物質25を連続して印刷することで安全線条２に第一の光学的機能層を積層した。
また、実施例６のように、励起した際に560nmの波長の光を発光する蛍光発光物質26を用いて、安全線条２の長手方向に向けて微小文字28である「2000」を所定の間隔をあけて連続して印刷することで安全線条２に第二の光学的機能層を積層した。
この場合、第一の光学的機能層において、安全線条２の長手方向に向けて蛍光発光物質25が連続して印刷されている距離である５mmを第一の光学情報とすることもできたし、蛍光発光物質25が励起した際に得られる発光の波長である530nmを第一の光学情報とすることもできた。一方、第二の光学的機能層において、安全線条２の長手方向に向けて記録されている微小文字28である「2000」を第二の光学情報とすることもできたし、蛍光発光物質26が励起した際に得られる発光の波長である560nmを第二の光学情報とすることもできた。
【００７６】
（実施例12）
実施例７のように、励起した際に350nmの波長の光を発光する蛍光発光物質27を用いて、安全線条２の長手方向に向けて24mmの距離の間に、蛍光発光物質27が印刷されている区域29と蛍光発光物質27が印刷されていない区域30とから構成されるパターン情報31を記録することで安全線条２に第一の光学的機能層を積層した。
また、実施例５において、励起した際に530nmの波長の光を発光する蛍光発光物質25を用いて、安全線条２の長手方向に向けて24mmの距離の間に蛍光発光物質25を連続して印刷することで安全線条２に第二の光学的機能層を積層した。
この場合、第一の光学的機能層において、安全線条２の長手方向に向けて記録されているパターン情報31を第一の光学情報とすることもできたし、安全線条２の長手方向に向けて記録されているパターン情報31の長さ24mmや蛍光発光物質27が励起した際に得られる発光の波長である350nmを第一の光学情報とすることもできた。一方、第二の光学的機能層において、安全線条２の長手方向に向けて蛍光発光物質25が連続して印刷されている距離である24mmを第二の光学情報とすることもできたし、蛍光発光物質25が励起した際に得られる発光の波長である530nmを第二の光学情報とすることもできた。
【００７７】
（実施例13）
実施例３のように、安全線条２の長手方向に向けて16mmの距離の間に、矩形波が記録されている区域22と矩形波が記録されていない区域23とから構成されるパターン情報24を記録することで安全線条２に磁性層を積層した。ここで、磁性層において、安全線条２の長手方向に向けて記録されているパターン情報24とパターン情報24が記録されている距離である16mmとを磁気情報とした。
また、実施例12において、励起した際に350nmの波長の光を発光する蛍光発光物質27を用いて、安全線条２の長手方向に向けて16mmの距離の間に、磁性層に記録されたパターン情報と同じパターン情報となるように、蛍光発光物質27が印刷されている区域29と蛍光発光物質27が印刷されていない区域30とから構成されるパターン情報31を記録することで安全線条２に第一の光学的機能層を積層した。ここで、第一の光学的機能層において、安全線条２の長手方向に向けて16mmの距離の間に記録されているパターン情報31を第一の光学情報とした。
更に、実施例12において、励起した際に530nmの波長の光を発光する蛍光発光物質25を用いて、安全線条２の長手方向に向けて８mmの距離の間に蛍光発光物質25を印刷することで安全線条２に第二の光学的機能層を積層した。ここで、第二の光学的機能層において、安全線条２の長手方向に向けて蛍光発光物質25が連続して記録されている距離である８mmを第二の光学情報とした。
この場合、図26に示すように、磁気情報と第一の光学情報との間に、磁気情報におけるパターン情報24と第一の光学情報におけるパターン情報31とが互いに一致するという所定の相関関係が設定されているので、磁性層に磁気情報におけるパターン情報24と一致するパターン情報が記録されており、且つ、第一の光学的機能層に第一の光学情報におけるパターン情報31と一致するパターン情報が記録されている場合に、磁性層に記録されている磁気情報と第一の光学的機能層に記録されている光学情報との間に所定の相関関係の存在を確認することができれば、磁気情報と第一の光学情報のそれぞれの情報が正確に記録されていることに関する信頼性を一段と向上させることができた。
同様に、図26に示すように、磁気情報と第二の光学情報との間に、磁気情報におけるパターン情報24が記録されている距離の１／２の距離が第二の光学情報と等しくなるという所定の相関関係が設定されているので、磁性層に記録された磁気情報が16mmと一致し、且つ、第二の光学的機能層に記録された光学情報が８mmと一致する場合に、磁性層に記録されている磁気情報と第二の光学的機能層に記録されている光学情報との間に所定の相関関係の存在を確認することができれば、磁気情報と第二の光学情報のそれぞれの情報が正確に記録されていることに関する信頼性を一段と向上させることができた。
【００７８】
（実施例14）
実施例９に示す安全線条を特公平4-78760号公報に開示される技術を用いて紙層中に埋設することで本発明に係る偽造防止用紙を抄造した。
その際、偽造防止用紙の紙層中に埋設される安全線条に、磁気情報が記録されている区間と光学情報が記録されている区間のそれぞれの区間が少なくとも１つずつ含まれるようにして偽造防止用紙を作製した。
【００７９】
（実施例15）
実施例10に示す安全線条を特公平5-40080号公報に開示される技術を用いて紙層中に埋設することで本発明に係る偽造防止用紙を抄造した。
その際、偽造防止用紙の紙層中に埋設される安全線条に、磁気情報が記録されている区間と光学情報が記録されている区間のそれぞれの区間が少なくとも１つずつ含まれるようにして偽造防止用紙を作製した。
【００８０】
（実施例16）
実施例13に示す安全線条を特公平4-78760号公報に開示される技術を用いて紙層中に埋設することで本発明に係る偽造防止用紙を抄造した。
その際、偽造防止用紙の紙層中に埋設される安全線条に、磁気情報が記録されている区間、第一の光学情報が記録されている区間及び第二の光学情報が記録されている区間のそれぞれの区間が少なくとも１つずつ含まれるようにして偽造防止用紙を作製した。
【００８１】
（実施例17）
実施例14に示す偽造防止用紙を基材として商品券を作製した。
その際、安全線条に記録されている情報を読み取る際の障害とならないように各種の情報を偽造防止用紙の表面にオフセット印刷した。
【００８２】
（実施例18）
実施例15に示す偽造防止用紙を基材として受取手形を作製した。
その際、安全線条に記録されている情報を読み取る際の障害とならないように各種の情報を偽造防止用紙の表面にタイプライターを用いて印字した。
【００８３】
（実施例19）
実施例16に示す偽造防止用紙を基材として身分証明書を作製した。
その際、安全線条に記録されている情報を読み取る際の障害とならないように各種の情報を偽造防止用紙の表面に感熱転写した。
【００８４】
（実施例20）
図７は、本発明に係る偽造防止用紙の真偽判別装置の配置図である。
この偽造防止用紙の真偽判別装置は、図２に示す類型の安全線条が紙層中に埋設されている偽造防止用紙の真偽判別装置であって、所定の方向に向けて搬送される偽造防止用紙３に対して、消磁ヘッド６と磁気ヘッド７とが、それぞれに対応する所定の位置に固定されている。
図７（ａ）では、所定の方向に向けて搬送される偽造防止用紙３に対して、消磁ヘッド６を設けた側と同じ側に磁気ヘッド７が設けられている。
一方、図７（ｂ）では、所定の方向に向けて搬送される偽造防止用紙３に対して、消磁ヘッド６を設けた側と反対の側に磁気ヘッド７が設けられている。
【００８５】
（実施例21）
図８は、本発明に係る偽造防止用紙の真偽判別装置の配置図である。
この偽造防止用紙の真偽判別装置は、図２に示す類型の安全線条が紙層中に埋設されている偽造防止用紙の真偽判別装置であって、所定の位置に固定された偽造防止用紙３に対して、消磁ヘッド６と磁気ヘッド７とが、それぞれ同じ方向に向けて移動していく。
図８（ａ）では、所定の位置に固定された偽造防止用紙３に対して、消磁ヘッド６を設けた側と同じ側に磁気ヘッド７が設けられている。
一方、図８（ｂ）では、所定の位置に固定された偽造防止用紙３に対して、消磁ヘッド６を設けた側と反対の側に磁気ヘッド７が設けられている。
【００８６】
（実施例22）
図９は、本発明に係る偽造防止用紙の真偽判別装置の配置図である。
この偽造防止用紙の真偽判別装置は、図３に示す類型の安全線条が紙層中に埋設されている偽造防止用紙の真偽判別装置であって、所定の方向に向けて搬送される偽造防止用紙３に対して、消磁ヘッド６、磁気ヘッド７、光源８及びフォトセンサ９が、それぞれに対応する所定の位置に固定されている。
この時、偽造防止用紙３の表裏双方の側において安全線条２の光学情報を光学的に読み取ることができるように、偽造防止用紙３の表裏双方の側に光源８とフォトセンサ９とがそれぞれ設けられている。
図９（ａ）では、所定の方向に向けて搬送される偽造防止用紙３に対して、消磁ヘッド６を設けた側と同じ側に磁気ヘッド７が設けられている。
一方、図９（ｂ）では、所定の方向に向けて搬送される偽造防止用紙３に対して、消磁ヘッド６を設けた側と反対の側に磁気ヘッド７が設けられている。
【００８７】
（実施例23）
図10は、本発明に係る偽造防止用紙の真偽判別装置の配置図である。
この偽造防止用紙の真偽判別装置は、図３に示す類型の安全線条が紙層中に埋設されている偽造防止用紙の真偽判別装置であって、所定の方向に向けて搬送された後に、表裏反転部19を経由することで表裏が反転して所定の方向と逆の方向に搬送される偽造防止用紙３に対して、消磁ヘッド６、磁気ヘッド７、光源８及びフォトセンサ９が、それぞれに対応する所定の位置に固定されている。
この時、偽造防止用紙３が表裏反転部19を経由する前と後において安全線条２の光学情報を光学的に読み取ることができるように、偽造防止用紙３の表裏いずれか一方の側においてフォトセンサ９の両隣に光源８が配置されている。
図10（ａ）では、所定の方向に向けて搬送される偽造防止用紙３に対して、消磁ヘッド６を設けた側と同じ側に磁気ヘッド７が設けられている。
一方、図10（ｂ）では、所定の方向に向けて搬送される偽造防止用紙３に対して、消磁ヘッド６を設けた側と反対の側に磁気ヘッド７が設けられている。
【００８８】
（実施例24）
図11は、本発明に係る偽造防止用紙の真偽判別装置の配置図である。
この偽造防止用紙の真偽判別装置は、図３に示す類型の安全線条が紙層中に埋設されている偽造防止用紙の真偽判別装置であって、所定の方向に向けて搬送された後に、戻し搬送部20を経由することで表裏が反転することなく所定の方向と逆の方向に搬送される偽造防止用紙３に対して、消磁ヘッド６と磁気ヘッド７とが、それぞれに対応する所定の位置に固定されている。また、所定の方向に向けて搬送される偽造防止用紙３に対して、光源８を設けた側と同じ側にフォトセンサ９が設けられており、偽造防止用紙３が戻し搬送部20を経由する際に、光源８とフォトセンサ９が配置制御部21を介して偽造防止用紙３の反対側に移動する。この時、偽造防止用紙３が戻し搬送部20を経由する前と後において安全線条２の光学情報を光学的に読み取ることができるように、フォトセンサ９の両隣に光源８が配置されている。
図11（ａ）では、所定の方向に向けて搬送される偽造防止用紙３に対して、消磁ヘッド６を設けた側と同じ側に磁気ヘッド７が設けられている。
一方、図11（ｂ）では、所定の方向に向けて搬送される偽造防止用紙３に対して、消磁ヘッド６を設けた側と反対の側に磁気ヘッド７が設けられている。
【００８９】
（実施例25）
図12は、本発明に係る偽造防止用紙の真偽判別装置の配置図である。
この偽造防止用紙の真偽判別装置は、図３に示す類型の安全線条が紙層中に埋設されている偽造防止用紙の真偽判別装置であって、所定の位置に固定された偽造防止用紙３に対して、消磁ヘッド６、磁気ヘッド７、光源８及びフォトセンサ９が、それぞれ同じ方向に向けて移動していく。
この時、偽造防止用紙３の表裏双方の側において安全線条２の光学情報を光学的に読み取ることができるように、偽造防止用紙３の表裏双方の側に光源８とフォトセンサ９とがそれぞれ設けられている。
図12（ａ）では、所定の位置に固定された偽造防止用紙３に対して、消磁ヘッド６を設けた側と同じ側に磁気ヘッド７が設けられている。
一方、図12（ｂ）では、所定の位置に固定された偽造防止用紙３に対して、消磁ヘッド６を設けた側と反対の側に磁気ヘッド７が設けられている。
【００９０】
（実施例26）
図13は、本発明に係る偽造防止用紙の真偽判別装置の配置図である。
この偽造防止用紙の真偽判別装置は、図４に示す類型の安全線条が紙層中に埋設されている偽造防止用紙の真偽判別装置であって、所定の方向に向けて搬送される偽造防止用紙３に対して、消磁ヘッド６、磁気ヘッド７、第一の光源10、第一のフォトセンサ11、第二の光源12及び第二のフォトセンサ13が、それぞれに対応する所定の位置に固定されている。
この時、偽造防止用紙３の表裏双方の側において安全線条２の光学情報を光学的に読み取ることができるように、偽造防止用紙３の表裏双方の側に第一の光源10、第一のフォトセンサ11、第二の光源12及び第二のフォトセンサ13がそれぞれ設けられている。
図13（ａ）では、所定の方向に向けて搬送される偽造防止用紙３に対して、消磁ヘッド６を設けた側と同じ側に磁気ヘッド７が設けられている。
一方、図13（ｂ）では、所定の方向に向けて搬送される偽造防止用紙３に対して、消磁ヘッド６を設けた側と反対の側に磁気ヘッド７が設けられている。
【００９１】
（実施例27）
図14は、本発明に係る偽造防止用紙の真偽判別装置の配置図である。
この偽造防止用紙の真偽判別装置は、図４に示す類型の安全線条が紙層中に埋設されている偽造防止用紙の真偽判別装置であって、所定の方向に向けて搬送された後に、表裏反転部19を経由することで表裏が反転して所定の方向と逆の方向に搬送される偽造防止用紙３に対して、消磁ヘッド６、磁気ヘッド７、第一の光源10、第一のフォトセンサ11、第二の光源12及び第二のフォトセンサ13が、それぞれに対応する所定の位置に固定されている。
この時、偽造防止用紙３が表裏反転部19を経由する前と後において安全線条２の光学情報を光学的に読み取ることができるように、偽造防止用紙３の表裏いずれか一方の側において第一のフォトセンサ11の両隣に第一の光源10が配置されており、第二のフォトセンサ13の両隣に第二の光源12が配置されている。
図14（ａ）では、所定の方向に向けて搬送される偽造防止用紙３に対して、消磁ヘッド６を設けた側と同じ側に磁気ヘッド７が設けられている。
一方、図14（ｂ）では、所定の方向に向けて搬送される偽造防止用紙３に対して、消磁ヘッド６を設けた側と反対の側に磁気ヘッド７が設けられている。
【００９２】
（実施例28）
図15は、本発明に係る偽造防止用紙の真偽判別装置の配置図である。
この偽造防止用紙の真偽判別装置は、図４に示す類型の安全線条が紙層中に埋設されている偽造防止用紙の真偽判別装置であって、所定の方向に向けて搬送された後に、戻し搬送部20を経由することで表裏が反転することなく所定の方向と逆の方向に搬送される偽造防止用紙３に対して、消磁ヘッド６と磁気ヘッド７とが、それぞれに対応する所定の位置に固定されている。また、所定の方向に向けて搬送される偽造防止用紙３に対して、第一の光源10を設けた側と同じ側に第一のフォトセンサ11が設けられており、偽造防止用紙３が戻し搬送部20を経由する際に、第一の光源10と第一のフォトセンサ11が配置制御部21を介して偽造防止用紙３の反対側に移動する。同様に、所定の方向に向けて搬送される偽造防止用紙３に対して、第二の光源12を設けた側と同じ側に第二のフォトセンサ13が設けられており、偽造防止用紙３が戻し搬送部20を経由する際に、第二の光源12と第二のフォトセンサ13が配置制御部21を介して偽造防止用紙３の反対側に移動する。この時、偽造防止用紙３が戻し搬送部20を経由する前と後において安全線条２の光学情報を光学的に読み取ることができるように、第一のフォトセンサ11の両隣に第一の光源10が配置されており、第二のフォトセンサ13の両隣に第二の光源12が配置されている。
図15（ａ）では、所定の方向に向けて搬送される偽造防止用紙３に対して、消磁ヘッド６を設けた側と同じ側に磁気ヘッド７が設けられている。
一方、図15（ｂ）では、所定の方向に向けて搬送される偽造防止用紙３に対して、消磁ヘッド６を設けた側と反対の側に磁気ヘッド７が設けられている。
【００９３】
（実施例29）
図16は、本発明に係る偽造防止用紙の真偽判別装置の配置図である。
この偽造防止用紙の真偽判別装置は、図４に示す類型の安全線条が紙層中に埋設されている偽造防止用紙の真偽判別装置であって、所定の位置に固定された偽造防止用紙３に対して、消磁ヘッド６、磁気ヘッド７、第一の光源10、第一のフォトセンサ11、第二の光源12及び第二のフォトセンサ13が、それぞれ同じ方向に向けて移動していく。
この時、偽造防止用紙３の表裏双方の側において安全線条２の光学情報を光学的に読み取ることができるように、偽造防止用紙３の表裏双方の側に第一の光源10、第一のフォトセンサ11、第二の光源12及び第二のフォトセンサ13がそれぞれ設けられている。
図16（ａ）では、所定の位置に固定された偽造防止用紙３に対して、消磁ヘッド６を設けた側と同じ側に磁気ヘッド７が設けられている。
一方、図16（ｂ）では、所定の位置に固定された偽造防止用紙３に対して、消磁ヘッド６を設けた側と反対の側に磁気ヘッド７が設けられている。
【００９４】
【発明の効果】
本発明に係る安全線条、偽造防止用紙及び貴重印刷物並びにその真偽判別装置は、それぞれ以上に説明したとおりであるから、以下に記載する効果を奏する。本発明に係る安全線条においては、通常の状態で磁気情報の存在が視認不可能であるとともに、改竄することが極めて困難な磁気情報を一般的な磁気ヘッドにより記録、再生することができる。
【００９５】
また、本発明に係る安全線条においては、安全線条に含まれる磁性材料の磁気特性を十分に抽出することができるとともに、安全線条に含まれる機能性材料の光学的特性を十分に抽出することができる。
【００９６】
また、本発明に係る安全線条においては、安全線条に含まれる機能性材料の光学的特性を十分に抽出するために設けられる反射層を簡単な方法により積層することができる。
【００９７】
また、本発明に係る安全線条においては、磁性層に記録された磁気情報が所定の磁気情報と一致し、且つ、光学的機能層に記録された光学情報が所定の光学情報と一致している場合に、磁性層に記録された磁気情報と光学的機能層に記録された光学情報との間に所定の相関関係の存在を確認することができれば、所定の磁気情報と所定の光学情報のそれぞれの情報が正確に記録されていることに関する信頼性を一段と向上させることができる。
【００９８】
また、本発明に係る偽造防止用紙においては、偽造防止用紙の表面から一般的な磁気ヘッドを用いて磁気的に読み取ることができる磁気情報であって、改竄することが極めて困難な磁気情報に基づいて偽造防止用紙の正確な真偽判別を恒久的に行うことができる。
【００９９】
また、本発明に係る偽造防止用紙においては、偽造防止用紙の表面から一般的な磁気ヘッドを用いて磁気的に読み取ることができる磁気情報であって、改竄することが極めて困難な磁気情報と、用紙の表面から一般的なフォトセンサを用いて光学的に読み取ることができる光学情報とに基づいて偽造防止用紙の正確な真偽判別を恒久的に行うことができる。
【０１００】
また、本発明に係る偽造防止用紙においては、改竄することが極めて困難な磁気情報を紙層中に記録することができる。
【０１０１】
また、本発明に係る貴重印刷物においては、貴重印刷物の表面から一般的な磁気ヘッドを用いて磁気的に読み取ることができる磁気情報であって、改竄することが極めて困難な磁気情報に基づいて貴重印刷物の正確な真偽判別を恒久的に行うことができる。
【０１０２】
また、本発明に係る貴重印刷物においては、貴重印刷物の表面から一般的な磁気ヘッドを用いて磁気的に読み取ることができる磁気情報であって、改竄することが極めて困難な磁気情報と、印刷物の表面から一般的なフォトセンサを用いて光学的に読み取ることができる光学情報とに基づいて貴重印刷物の正確な真偽判別を恒久的に行うことができる。
【０１０３】
また、本発明に係る貴重印刷物においては、改竄することが極めて困難な磁気情報を紙層中に記録することができる。
【０１０４】
また、本発明に係る偽造防止用紙の真偽判別装置によれば、偽造防止用紙の安全線条を消磁した後に、安全線条に残留している磁気情報として磁気ヘッドを用いて磁気的に読み取られた磁気情報が、真正な偽造防止用紙の安全線条に極めて高い保磁力を持つように記録されている磁気情報と一致するか否かを判断して偽造防止用紙の正確な真偽判別を行うことができる。
【０１０５】
また、本発明に係る偽造防止用紙の真偽判別装置によれば、偽造防止用紙の安全線条を消磁した後に、安全線条に残留している磁気情報として磁気ヘッドを用いて磁気的に読み取られた磁気情報が、真正な偽造防止用紙の安全線条に極めて高い保磁力を持つように記録されている磁気情報と一致し、且つ、偽造防止用紙の安全線条からフォトセンサを用いて光学的に読み取られた光学情報が、真正な偽造防止用紙の安全線条に記録されている光学情報と一致するか否かを判断して偽造防止用紙の正確な真偽判別を行うことができる。
【０１０６】
また、本発明に係る貴重印刷物の真偽判別装置によれば、貴重印刷物の安全線条を消磁した後に、安全線条に残留している磁気情報として磁気ヘッドを用いて磁気的に読み取られた磁気情報が、真正な貴重印刷物の安全線条に極めて高い保磁力を持つように記録されている磁気情報と一致するか否かを判断して貴重印刷物の正確な真偽判別を行うことができる。
【０１０７】
また、本発明に係る貴重印刷物の真偽判別装置によれば、貴重印刷物の安全線条を消磁した後に、安全線条に残留している磁気情報として磁気ヘッドを用いて磁気的に読み取られた磁気情報が、真正な貴重印刷物の安全線条に極めて高い保磁力を持つように記録されている磁気情報と一致し、且つ、貴重印刷物の安全線条からフォトセンサを用いて光学的に読み取られた光学情報が、真正な貴重印刷物の安全線条に記録されている光学情報と一致するか否かを判断して貴重印刷物の正確な真偽判別を行うことができる。
【図面の簡単な説明】
【図１】本発明に係る安全線条がボビンから繰り出される状態を示す図である。
【図２】本発明に係る安全線条の断面図である。
【図３】本発明に係る安全線条の断面図である。
【図４】本発明に係る安全線条の断面図である。
【図５】本発明に係る偽造防止用紙の斜視図と断面図である。
【図６】本発明に係る貴重印刷物の斜視図と断面図である。
【図７】本発明に係る偽造防止用紙の真偽判別装置の配置図である。
【図８】本発明に係る偽造防止用紙の真偽判別装置の配置図である。
【図９】本発明に係る偽造防止用紙の真偽判別装置の配置図である。
【図１０】本発明に係る偽造防止用紙の真偽判別装置の配置図である。
【図１１】本発明に係る偽造防止用紙の真偽判別装置の配置図である。
【図１２】本発明に係る偽造防止用紙の真偽判別装置の配置図である。
【図１３】本発明に係る偽造防止用紙の真偽判別装置の配置図である。
【図１４】本発明に係る偽造防止用紙の真偽判別装置の配置図である。
【図１５】本発明に係る偽造防止用紙の真偽判別装置の配置図である。
【図１６】本発明に係る偽造防止用紙の真偽判別装置の配置図である。
【図１７】本発明に係る安全線条に記録された磁気情報の説明図である。
【図１８】本発明に係る安全線条に記録された磁気情報の説明図である。
【図１９】本発明に係る安全線条に記録された磁気情報の説明図である。
【図２０】本発明に係る安全線条に記録された光学情報の説明図である。
【図２１】本発明に係る安全線条に記録された光学情報の説明図である。
【図２２】本発明に係る安全線条に記録された光学情報の説明図である。
【図２３】本発明に係る安全線条に記録された光学情報の説明図である。
【図２４】磁気情報と光学情報との間に設定された相関関係の説明図である。
【図２５】磁気情報と光学情報との間に設定された相関関係の説明図である。
【図２６】磁気情報と第一の光学情報との間に設定された相関関係及び磁気情報と第二の光学情報との間に設定された相関関係の説明図である。
【符号の説明】
１  ボビン
２  安全線条
３  偽造防止用紙
４  貴重印刷物
５  各種の情報
６  消磁ヘッド
７  磁気ヘッド
８  光源
９  フォトセンサ
10  第一の光源
11  第一のフォトセンサ
12  第二の光源
13  第二のフォトセンサ
14  磁性測定部
15  光学的特性抽出部
16  第一の光学的特性抽出部
17  第二の光学的特性抽出部
18  真偽判別部
19  表裏反転部
20  戻し搬送部
21  配置制御部
22  矩形波が記録されている区域
23  矩形波が記録されていない区域
24  磁気情報におけるパターン情報
25  励起した際に530nmの波長の光を発光する蛍光発光物質
26  励起した際に560nmの波長の光を発光する蛍光発光物質
27  励起した際に350nmの波長の光を発光する蛍光発光物質
28  微小文字
29  蛍光発光物質が印刷されている区域
30  蛍光発光物質が印刷されていない区域
31  光学情報におけるパターン情報
【図１】
0004320436.tif 000002
【図２】
0004320436.tif 000003
【図３】
0004320436.tif 000004
【図４】
0004320436.tif 000005
【図５】
0004320436.tif 000006
【図６】
0004320436.tif 000007
【図７】
0004320436.tif 000008
【図８】
0004320436.tif 000009
【図９】
0004320436.tif 000010
【図１０】
0004320436.tif 000011
【図１１】
0004320436.tif 000012
【図１２】
0004320436.tif 000013
【図１３】
0004320436.tif 000014
【図１４】
0004320436.tif 000015
【図１５】
0004320436.tif 000016
【図１６】
0004320436.tif 000017
【図１７】
0004320436.tif 000018
【図１８】
0004320436.tif 000019
【図１９】
0004320436.tif 000020
【図２０】
0004320436.tif 000021
【図２１】
0004320436.tif 000022
【図２２】
0004320436.tif 000023
【図２３】
0004320436.tif 000024
【図２４】
0004320436.tif 000025
【図２５】
0004320436.tif 000026
【図２６】
0004320436.tif 000027